(57)【特許請求の範囲】
【請求項１】
ベース部と、
前記ベース部とは、別体に設けられ、内部に、煙及び／又は熱検知手段を備えるヘッド部とを備え、
前記ベース部は、天井に設けられた、火災感知器取付け用孔内に、埋め込まれるように取り付けられるようになっており、且つ、
前記ベース部内には、前記煙及び／又は熱検知手段から導出されている接続用端子と電気的・物理的な接続が可能な端子受けが設けられ、
前記ヘッド部内に設けられている煙及び／又は熱検知手段から導出されている接続用端子を前記ベース部内に設けられている端子受けに接続又は引き抜きすることで、前記ベース部に、前記ヘッド部を着脱できるようにしてなり、
更に、前記ベース部内に、電源回路、動作確認回路、通電表示回路及び警報回路を備え、前記警報回路には、前記電源回路から、前記ヘッド部を経由した回路を介して、電源が供給されるようになっている火災感知器。
【請求項２】
前記通電表示回路には、前記電源回路から、前記ヘッド部を経由した回路を介して、電源が供給されるようになっている、請求項１に記載の火災感知器。
【請求項３】
前記通電表示回路は、通電表示灯を備え、前記ベース部に、前記ヘッド部が取り付けられていない場合、又は、前記ヘッド部内に設けられている煙及び／又は熱検知手段からは接続用端子が、前記ベース部内に設けられている端子受けに、正しく、接続されていない場合において、前記電源回路に、商用電源が接続された場合に、前記通電表示灯を点滅させる点滅動作回路を備える、請求項１に記載の火災感知器。
【請求項４】
前記ベース部は、その内部に、前記警報回路の鳴動を停止させる鳴動停止スイッチを備え、前記ヘッド部は、前記鳴動停止スイッチを押し操作する、押し操作ボタンを備え、前記押し操作ボタンは、前記ヘッド部の、前記ヘッド部を前記ベース部に正しく取り付けた際に、前記鳴動停止スイッチの下方位置に、整列する位置に、前記ヘッド部の内面側に設けられている、押し操作ボタン収容起立壁内に、上下移動自在に設けられており、前記押し操作ボタン収容起立壁には、操作ボタン操作用紐が固定されており、前記操作ボタン操作用紐は、前記押し操作ボタンを挿通された後、前記ヘッド部の側面に設けられた紐挿通孔を通された後、下方に垂れ下がっており、前記操作ボタン操作用紐が、引っ張られた際に、前記押し操作ボタンが上方に移動し、前記鳴動停止スイッチを押し操作するようになっている、請求項１〜３のいずれかに記載の火災感知器。
【請求項５】
前記ベース部は、その内部に、前記警報回路の鳴動を停止させる鳴動停止スイッチを備え、前記ヘッド部は、前記鳴動停止スイッチを押し操作する、押し操作ボタンを備え、前記押し操作ボタンは、前記ヘッド部を前記ベース部に正しく取り付けた際に、前記鳴動停止スイッチの下方位置に、整列する位置に、前記ヘッド部の内面側に設けられている、貫通孔に、上下方向に移動自在に設けられており、前記押し操作ボタンは、テーパ片収容孔を有し、前記テーパ片収容孔内には、テーパ片が横方向に移動自在に収容されており、前記テーパ片には、操作ボタン操作用紐が固定されており、前記操作ボタン操作用紐は、前記ヘッド部の側面に設けられた紐挿通孔を通された後、下方に垂れ下がっており、且つ、前記ヘッド部の側面内側には、弾性体が収容され、前記操作ボタン操作用紐には、前記操作ボタン操作用紐が引っ張られた際に、前記弾性体を押す弾性体押し操作部が設けられており、通常の状態では、前記テーパ片の細い部分が、前記鳴動停止スイッチの下方位置に、位置するようにされており、前記操作ボタン操作用紐が、引っ張られた際に、前記のテーパ片の太い部分が、前記鳴動停止スイッチの下方位置に、位置し、前記押し操作ボタンを上方に移動させて、前記鳴動停止スイッチを押し操作するようになっている、請求項１〜３のいずれかに記載の火災感知器。
【請求項６】
前記ベース部は、その内部に、前記警報回路の鳴動を停止させる鳴動停止スイッチを備え、前記ヘッド部は、前記鳴動停止スイッチを押し操作する、押し操作ボタンを備え、前記ヘッド部の所定の位置には、前記押し操作ボタンの操作部を外部に露出させる貫通孔が設けられ、且つ、前記押し操作ボタンは、前記ヘッド部を前記ベース部に正しく取り付けた際に、前記鳴動停止スイッチの下方位置に、整列する位置に、前記ヘッド部の内面側に設けられている、貫通孔内に、上下移動自在に設けられており、前記押し操作ボタンは、前記貫通孔の上方位置に形成された板体に設けられた押し操作ボタン挿通孔を挿通されており、前記板体と押し操作ボタンとの間には、弾性体が介在するように設けられており、前記押し操作ボタンは、前記弾性体により、前記貫通孔方向に押し付けられている、請求項１〜３のいずれかに記載の火災感知器。
【請求項７】
前記ヘッド部は、鍔体部を有し、前記鍔体部の上面には、前記ヘッド部の中心方向に張り出した、係止片を有し、前記ベース部には、その下面に、前記鍔体部の上面に設けられた係止片を受け入れる係止片挿通孔と、前記係止片挿通孔に連続するように設けられた係止片受入部を有し、前記係止片受入部の途中には、前記係止片挿通孔から係止片受入部の終端方向に向かって肉厚に傾斜するように設けられたテーパ突起が設けられ、前記ヘッド部の鍔体部に設けられている係止片を、前記ベース部に設けられている係止片挿通孔に挿入し、前記ヘッド部を、前記ベース部に対して、回動し、前記ヘッド部を、前記ベース部に正しく取り付けた際に、前記ヘッド部の鍔体部に設けられた係止片が、前記係止片挿通孔に連続するように設けられた係止片受入部の途中に設けられたテーパ突起を乗り越え、前記係止片受入部のテーパ突起と前記係止片受入部の終端との間の係止片受入部内に収容されるようにした、請求項１〜６のいずれかに記載の火災感知器。
【請求項８】
前記ベース部の外側の所定の位置には、商用電源を受け入れる、速結端子が横方向に設けられ、前記速結端子の下方位置には、下方に向かって傾斜する傾斜面を備え、前記ベース部の速結端子が設けられている場所には、開閉自在に、蓋体が設けられており、前記蓋体には、水抜き孔が設けられ、前記蓋体を閉じた状態にすると、前記蓋体に設けられている水抜き孔が、前記ベース部の速結端子が設けられている位置の下方に設けられている傾斜面の概ね下端位置に来るようにされている、請求項１〜７のいずれかに記載の火災感知器。
【請求項９】
前記ベース部は、電気回路部品収容部と、前記電気回路部品収容部の上面を覆うように設けられたベース部上蓋体とを備え、前記ベース部の電気回路部品収容部の上面には、段差部が設けられるとともに、前記ベース部の段差部を形成する面が傾斜面にされており、前記ベース部のベース部上蓋体の下面には、前記ベース部の電気回路部品収容部の上面に形成された段差部に対応する段差部が設けられ、且つ、前記ベース部上蓋体の段差部を形成する面が、前記ベース部の電気回路部品収容部の上面の段差部を形成する傾斜面に対応する傾斜面にされている、請求項１〜８のいずれかに記載の火災感知器。
【請求項１０】
前記通電表示回路は、通電表示灯を備え、前記ヘッド部は、前記ベース部に前記ヘッド部を取り付けた状態にした場合に、前記ベース部の外方へ張り出すように設けられた鍔体部と、光ガイド部材を備え、前記光ガイド部材は、その一端部が、前記ヘッド部の裏面側に、且つ、前記ベース部に前記ヘッド部を取り付けた際に、前記通電表示灯の下方位置に位置するようにされ、且つ、その他端部が、前記ヘッド部の、前記ベース部の外方へ張り出すように設けられた鍔体部の外周側近傍位置において、前記ヘッド部を貫通し、前記ヘッド部の正面側に露呈するように、前記ヘッド部に設けられている、請求項２〜９のいずれかに記載の火災感知器。
【請求項１１】
前記ベース部は、前記ベース部の外方に張り出すように設けられた鍔体部を有し、且つ、前記ベース部は、一対の取付金具を備え、前記一対の取付金具の各々は、前記ベース部の上面に設けられた、一対の取付金具収容部の各々に収容され、且つ、前記一対の取付金具の各々は、前記一対の取付金具収容部の各々から、前記ベース部の外方に引き出した状態にすれば、一対のボルト手段の各々を回転することにより、前記ベース部の上側から下側に移動可能にされており、且つ、前記一対の取付金具収容部の各々内には、前記一対のボルト手段の各々を回転させた際に、前記一対の取付金具収容部の各々内に収容されている、一対の取付金具が、前記一対の取付金具収容部の各々から、前記ベース部の外方に引き出され易くするために、前記一対の取付金具収容部の各々に、前記ベース部の中心部から外方に向かってなだらかに下方に傾斜する傾斜面が設けられ、天井に設けられた火災感知器取付け用孔内に、前記ベース部を埋め込むように収容した後、前記一対のボルト手段の各々を回転させて、前記一対の取付金具収容部の各々内に収容されている、一対の取付金具を、前記ベース部の外方に引き出し、その後、前記一対のボルト手段の各々を回転することにより、前記一対の取付金具の各々を、前記ベース部の上側から下側に移動させ、前記一対の取付金具の各々と、前記ベース部に設けられている鍔体部とにより、天井を挟持することで、前記ベース部を、天井に設けられた、火災感知器取付け用孔内に、埋め込まれるように取り付けるようにした、請求項１〜１０のいずれかに記載の火災感知器。
【請求項１２】
前記ベース部は、前記ベース部の外方に張り出すように設けられた鍔体部を有し、且つ、前記ベース部は、一対の取付金具を備え、前記一対の取付金具は、一方片を他方片に比べて、長い状態にして、略くの字形状に折り曲げらげられており、且つ、その折曲部には、長孔が設けられ、前記一対の取付金具の各々は、前記一対の取付金具の各々に設けられている長孔内に、一対のボルト手段の各々が、挿入され、且つ、前記一対のボルト手段に螺合させたナット手段により、前記ベース部の上面領域内に、一対の一方片の各々が収容されるように、一対の一方片が、逆ハの字形状になるように取り付けられており、天井に設けられた火災感知器取付け用孔内に、前記ベース部を埋め込むように収容した後、前記一対のボルト手段の各々を回転することにより、前記一対のボルト手段に螺合しているナット手段を緩めることで、前記一対の取付金具の各々を、各々の一方片の自重により、一方片の各々が、前記ベース部の上面領域の外方に位置するように、傾倒させ、更に、前記一対の取付金具の各々一方片が、天井に当接するようにし、その後、前記一対のボルト手段の各々を、前記一対のボルト手段に螺合させたナット手段の各々が、締まる方向に、回転させ、前記一対の取付金具の各々と、前記ベース部に設けられている鍔体部とにより、天井を挟持することで、前記ベース部を、天井に設けられた、火災感知器取付け用孔内に、埋め込まれるように取り付けるようにした、請求項１〜１０のいずれかに記載の火災感知器。
【発明の詳細な説明】
【０００１】
【発明の属する技術分野】
本発明は、火災感知器に関し、特に、天井への取付が簡単で、天井に取り付け後において、天井から下方に、出っ張りが少なく、また、点検や清掃が簡単にできるようにした、火災感知器に関する。
【０００２】
【従来の技術】
住宅には、火災を見張るために、火災感知器が取り付けられている。
【０００３】
図２４は、そのような火災感知器として、一般に用いられている、従来の火災感知器の一例を概略的に示す斜視図である。
【０００４】
この火災感知器１０１は、天井の下面に取り付けるようになっている。
【０００５】
この火災感知器１０１は、筐体部１０２を備える。
【０００６】
筐体部１０２は、ベース部１０２ａと、ベース部１０２ａに対し、開閉可能に設けられたカバー体部１０２ｂとを備える。
【０００７】
カバー体部１０２ｂには、煙検知部１０３ａが形成されている。
【０００８】
この煙検知部１０３ａには、貫通孔ｈ１０３・・・が形成されており、貫通孔ｈ１０３・・・を介して、大気が、筐体部１０２内に流通できるようになっている。
【０００９】
尚、図２４中、１１１で示す部材は、この火災感知器１０１が、火災と判断し、警報回路（図示せず。）が鳴動した際に、警報回路（図示せず。）の鳴動を停止させるための鳴動停止スイッチを示しており、この鳴動停止スイッチ１１１には、鳴動スイッチ操作用紐１１０が接続されている。
【００１０】
図２５は、火災感知器１０１のカバー体部１０２ｂを開いた状態を、概略的に示す斜視図である。
【００１１】
火災感知器１０１は、ベース部１０２ａ内に、煙検知手段１０３ｂが設けられている。
【００１２】
尚、図２５中、Ｂｂで示す部材は、バッテリーボックスを示しており、バッテリーボックスＢｂ内には、火災感知器１０１へ電源を供給する電池Ｂが収容されるようになっている。
【００１３】
次に、この火災感知器１０１を天井に取り付ける手順について、説明する。
【００１４】
まず、火災感知器１０１のベース部１０２ａを天井（図示せず。）の、火災感知器１０１の取り付け位置に、当接し、その後、ベース部１０２ａに設けられているネジ挿通孔ｈ１０２ａ、ｈ１０２ａの各々に、ネジｎ、ｎの各々を挿通し、ネジｎ、ｎの各々を天上面に螺合することで、ベース部１０２ａを天井（図示せず。）に取り付ける。
【００１５】
次に、火災感知器１０１のカバー体部１０２ｂを、図２５に示すように、開いた状態にし、バッテリーボックスＢｂ内に、電池Ｂを収容する。
【００１６】
その後、図２４に示すように、カバー体１０２ｂを閉じた状態にする。
【００１７】
この火災感知器１０１は、煙検知手段１０３ｂによって検知される煙の濃度等により、火災と判断すれば、警報回路（図示せず。）が鳴動するようになっている。
【００１８】
そして、住戸人が、鳴動スイッチ操作用紐１１０を引っ張ると、警報回路（図示せず。）の鳴動が停止するようになっている。
【００１９】
図２６は、火災感知器１０１への、鳴動スイッチ操作用紐１１０の取り付け状態を概略的に示す説明図であり、図２６（ａ）は、住戸人が、鳴動スイッチ操作用紐１１０の引っ張り操作をしていない状態を概略的に示す断面図であり、また、図２６（ｂ）は、住戸人が、鳴動スイッチ操作用紐１１０の引っ張り操作をした状態を概略的に示す断面図である。
【００２０】
図２６（ａ）及び図２６（ｂ）に示すように、鳴動スイッチ操作用紐１１０は、
警報回路（図示せず。）が鳴動停止スイッチ１１１に接続されており、ベース部１０２ａに設けられた、鳴動スイッチ操作用紐挿通孔ｈ１０２ｂを挿通した後、ベース部１０２ａの背面側を経由して、下方に垂れ下がるようにしてある。
【００２１】
この結果、火災感知器１０１が、火災と判断して、警報回路（図示せず。）が鳴動した際に、住戸人が、警報回路（図示せず。）の鳴動を停止させようと思えば、鳴動スイッチ操作用紐１１０を下方に引っ張れば、鳴動停止スイッチ１１１が上方に押し操作され、警報回路（図示せず。）の鳴動を停止することができるようになっている。
【００２２】
尚、検知回路（図２７に示す検知回路１３３を参照）が、例えば、光電式の煙検知センサーである場合には、一般に、煙検知部１０３ａの貫通孔ｈ１０３・・・には、防虫網（図２６に示す防虫網１２１）が張られている。
【００２３】
次に、この火災感知器１０１の回路構成について、概略的に、説明する。
【００２４】
図２７は、図２４に示す火災感知器１０１の回路構成を概略的に説明するブロック図である。
【００２５】
火災感知器１０１は、その内部に、電源回路１３１、検知回路１３３、動作確認回路１３４、及び、警報回路１３５を備える。
【００２６】
検知回路１３３は、煙検知手段１０３ｂを構成する回路であって、カバー体を閉じた状態にすると、カバー体部１０２ｂに形成されている煙検知部１０３ａ内に収容されるようになっている。
【００２７】
電源回路１３１は、バッテリボックスＢｂ内に、電池Ｂを収容すると、通電表示回路１３２、検知回路１３３、動作確認回路１３４、及び、警報回路１３５へ、電源の供給を行うようになっている。
【００２８】
検知回路１３３は、煙又は熱を検知することで、火災現象の検知を行う回路部品であり、火災と判断した場合には、警報回路１３５へ、発報信号を出力するようになっている。
【００２９】
動作確認回路１３４は、動作確認ボタン（図示せず。）を備え、動作確認ボタン（図示せず。）が押し操作されると、警報回路１３５へ、発報疑似信号を出力するようになっている。
【００３０】
警報回路１３５は、圧電ブザー等の鳴動部品（図示せず。）を備え、検知回路１３３からの発報信号、又は、動作確認回路１３４からの発報疑似信号を受信すると、圧電ブザー等の鳴動部品（図示せず。）から警報音を出力するようになっている。
【００３１】
火災感知器１０１を取り付けた住戸では、火災が発生すると、火災感知器１０１が、火災により発生した、熱又は煙を、検知回路１３３が検知し、警報回路１３５が警報音を出力し、住戸人に、早期に、火災が発生したことを警告するので、早期に鎮火したり、また、住戸人等が、火災の際に逃げ遅れるといったゆゆしき事態を防ぐことができる。
【００３２】
【発明が解決しようとする課題】
ところで、上述したように、従来の火災感知器１０１では、火災感知器１０１の天井への取り付けを、ネジ手段ｎ、ｎによって行っているため、火災感知器１０１の天井への取り付ける際に、ドライバー等の工具やネジ手段ｎ、ｎを必要とし、また、ネジ手段ｎ、ｎが落下するようなことがあり、火災感知器１０１を、ネジ手段ｎ、ｎを用いて天井に取り付けるのに、手間がかかる、という問題があった。
【００３３】
また、火災感知器１０１は、その機能上、内部に、電源回路１３１や、高音量の圧電ブザー等の鳴動部品（図示せず。）が内蔵する必要があるため、商品の薄型化には限界があり、火災感知器１０１の全体を、天井の下面に露呈させるという、従来の、火災感知器１０１の天井への取付方法では、天井に火災感知器１０１を取り付けた後において、火災感知器１０１が、天井から下方に、出っ張り、室内の美観を損ねる、という問題があった。
【００３４】
また、検知回路１３３が、例えば、光電式の煙検知センサーである場合には、防虫網１２１が埃や塵等によって目詰まりすると、ヘッド部１０３の内部への煙の流入が悪くなり、煙検知性能が低下するため、防虫網１２１に付着した埃や塵等の除去をするといった、メンテナンスが必要となるが、火災感知器１０１を天井に取り付けたままの状態で、そのようなメンテナンス作業を行うことは、非常に難しい、という問題があった。
【００３５】
また、火災感知器１０１を天井から取り外して、防虫網１２１に付着した埃や塵等の除去をするといった、メンテナンス作業をすれば、メンテナンス作業自体は、容易に行うことができるが、従来の火災感知器１０１では、火災感知器１０１の天井への取り付けを、ネジ手段ｎ、ｎによって行っているため、火災感知器１０１の天井からの取り外し作業や、火災感知器１０１の天井への取付作業に、非常に手間かかる、という問題があった。
【００３６】
更にまた、図２７に示すように、従来の火災感知器１０１では、電源回路１３１と、警報回路１３５との間に、検知回路１３３が、並列に、接続されていたため、検知回路１３３へ電源供給が行われていなくても、あるいは、検知回路１３３が故障していても、動作確認回路１３４の動作確認ボタン（図示せず。）が押し操作すると、警報回路１３５の圧電ブザー等の鳴動部品（図示せず。）から警報音が出力されるという問題があった。
【００３７】
また、従来の火災感知器１０１では、通電表示回路１３２をベース部１０２ａ内に収容するようにしているため、通電表示回路１３２の通電表示灯１１２も、ベース部１０２ａの領域内に設けられることになる。この結果、通電表示灯１１２が、検知部１０３ａの陰に隠れて見え難い、という問題もあった。
【００３８】
本発明は、以上のような問題を解決するためになされたものであって、天井への取付が簡単で、天井に取り付け後において、天井から下方に、出っ張りが少なく、しかも、清掃が簡単に行え、また、動作確認点検が確実にでき、及び／又は、火災感知器への通電の有無を視覚により容易に確認できるようにした、火災感知器を提供することを目的としている。
【００３９】
【課題を解決するための手段】
請求項１に記載の火災感知器は、ベース部と、ベース部とは、別体に設けられ、内部に、煙及び／又は熱検知手段を備えるヘッド部とを備え、ベース部は、天井に設けられた、火災感知器取付け用孔内に、埋め込まれるように取り付けられるようになっており、且つ、ベース部内には、煙及び／又は熱検知手段から導出されている接続用端子と電気的・物理的な接続が可能な端子受けが設けられ、ヘッド部内に設けられている煙及び／又は熱検知手段導出されている接続用端子をベース部内に設けられている端子受けに接続又は引き抜きすることで、ベース部に、ヘッド部を着脱できるようにしてなり、更に、前記ベース部内に、電源回路、動作確認回路、通電表示回路及び警報回路を備え、前記警報回路には、前記電源回路から、前記ヘッド部を経由した回路を介して、電源が供給されるようになっている。
【００４０】
この火災感知器では、ベース部を、天井に設けた火災感知器取付け用孔内に、埋め込まれるように取り付けできるようにしているので、この火災感知器は、天井に火災感知器を取り付けた後の状態において、火災感知器の天井の下面からの出っ張りを少なくすることができる。
【００４１】
この結果、この火災感知器は、天井に火災感知器を取り付けた後の状態において、天井の下面からの出っ張りが少なくなっている分、天井面がすっきりとし、室内の美観が損なわれない。
【００４２】
この火災感知器では、ヘッド部内に設けられている煙及び／又は熱検知手段から導出されている接続用端子を、ベース部内に設けられている、端子受けに接続又は引き抜きすることで、煙及び／又は熱検知手段とベース部内の電気回路との電気的・物理的な接続又は分離を可能にし、ベース部に、ヘッド部を着脱できるようにしている。
【００４３】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【００４４】
即ち、この火災感知器は、ヘッド部の防虫網に付着した埃や塵等の除去をするといった、メンテナンス作業を、極めて、容易に行える。
【００４５】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【００４７】
更に、この火災感知器では、電源回路から、警報回路及び動作確認回路への電源の供給を、ヘッド部を経由した回路を介して行っているため、ベース部に、ヘッド部が接続されていない場合には、動作確認回路に設けられている動作確認ボタンを押し操作しても、警報回路の鳴動部品から警報音が出力されない。
【００４８】
従って、この火災感知器は、ベース部にヘッド部が取り付けられていない場合を、正確に、検出することができる。
【００４９】
請求項２に記載の火災感知器は、請求項１に記載の火災感知器の、通電表示回路には、電源回路から、ヘッド部を経由した回路を介して、電源が供給されるようになっている。
【００５０】
この火災感知器では、電源回路から、警報回路と通電表示回路との双方への電源の供給を、ヘッド部を経由した回路を介して行っているため、ベース部に、ヘッド部が接続されていない場合には、電源回路が通電状態にされても、動作確認回路に設けられている動作確認ボタンを押し操作しても、警報回路の鳴動部品から警報音が出力されないのみならず、通電表示回路に含まれる通電表示灯が点灯することがない。
【００５１】
従って、この火災感知器は、ベース部にヘッド部が取り付けられていない場合を、正確に、検出することができる。
【００５２】
請求項３に記載の火災感知器は、請求項１に記載の火災感知器の、通電表示回路は、通電表示灯を備え、ベース部に、ヘッド部が取り付けられていない場合、又は、ヘッド部内に設けられている煙及び／又は熱検知手段からは接続用端子が、ベース部内に設けられている端子受けに、正しく、接続されていない場合において、電源回路に、商用電源が接続された場合に、通電表示灯を点滅させる点滅動作回路を備える。
【００５３】
この火災感知器では、ヘッド部がベース部に取り付けられていない場合、又は、ヘッド部内に設けられている煙及び／又は熱検知手段から導出された接続用端子が、ベース部内に設けられている端子受けに、正しく、接続されていない場合等において、電源回路に、商用電源が接続された場合に、通電表示灯が点滅するようにしている。
【００５４】
従って、火災感知器の取り付け業は、通電表示灯の点滅の有無により、電源回路に、商用電源が接続されているか否かを知ることができると同時に、ヘッド部がベース部に取り付けられていないこと、又は、ヘッド部内に設けられている煙及び／又は熱検知手段から導出されている接続用端子が、ベース部内に設けられている端子受けに、正しく、接続されていないことを知ることができるため、感電等の事故を起こすことなく、火災感知器の天井への取り付け作業を、正しく完了することができる。
【００５５】
即ち、この火災感知器は、天井への取り付け作業において、取り付け業者が、取り付け作業ミスをすることが無い、という利点を有する。
【００５６】
請求項４に記載の火災感知器は、請求項１〜３のいずれかに記載の火災感知器の、ベース部は、その内部に、警報回路の鳴動を停止させる鳴動停止スイッチを備え、ヘッド部は、鳴動停止スイッチを押し操作する、押し操作ボタンを備え、押し操作ボタンは、ヘッド部の、ヘッド部をベース部に正しく取り付けた際に、鳴動停止スイッチの下方位置に、整列する位置に、ヘッド部の内面側に設けられている、押し操作ボタン収容起立壁内に、上下移動自在に設けられており、押し操作ボタン収容起立壁には、操作ボタン操作用紐が固定されており、操作ボタン操作用紐は、押し操作ボタンを挿通された後、ヘッド部の側面に設けられた紐挿通孔を通された後、下方に垂れ下がっており、操作ボタン操作用紐が、引っ張られた際に、押し操作ボタンが上方に移動し、鳴動停止スイッチを押し操作するようになっている。
【００５７】
この火災感知器では、操作ボタン操作用紐を引っ張ることによって、鳴動停止スイッチを押し操作することができる。
【００５８】
しかも、操作ボタン操作用紐を引っ張ることによって、鳴動停止スイッチを押し操作する機構を、ヘッド部側だけに設けているので、ヘッド部を、完全に、ベース部から切り離すことができる。
【００５９】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【００６０】
即ち、この火災感知器は、ヘッド部の防虫網に付着した埃や塵等の除去をするといった、メンテナンス作業を、極めて、容易に行える。
【００６１】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【００６２】
しかも、この火災感知器では、操作ボタン操作用紐が不用の場合には、操作ボタン操作用紐を切断したり、取り外しても、住戸人が、押し操作ボタンを上方に押し操作すれば、鳴動停止スイッチを押し操作できる構成になっているので、ユーザの都合で、警報の鳴動を止める際の方法を、操作ボタン操作用紐を引っ張る方法と、押し操作ボタンを上方に押し操作する方法の２通りのいずれかを選択することができる。
【００６３】
請求項５に記載の火災感知器は、請求項１〜３のいずれかに記載の火災感知器の、ベース部は、その内部に、警報回路の鳴動を停止させる鳴動停止スイッチを備え、ヘッド部は、鳴動停止スイッチを押し操作する、押し操作ボタンを備え、押し操作ボタンは、ヘッド部を前記ベース部に正しく取り付けた際に、鳴動停止スイッチの下方位置に、整列する位置に、ヘッド部の内面側に設けられている、貫通孔に、上下方向に移動自在に設けられており、押し操作ボタンは、テーパ片収容孔を有し、テーパ片収容孔内には、テーパ片が横方向に移動自在に収容されており、テーパ片には、操作ボタン操作用紐が固定されており、操作ボタン操作用紐は、ヘッド部の側面に設けられた紐挿通孔を通された後、下方に垂れ下がっており、且つ、ヘッド部の側面内側には、弾性体が収容され、操作ボタン操作用紐には、操作ボタン操作用紐が引っ張られた際に、弾性体を押す弾性体押し操作部が設けられており、通常の状態では、テーパ片の細い部分が、鳴動停止スイッチの下方位置に、位置するようにされており、操作ボタン操作用紐が、引っ張られた際に、テーパ片の太い部分が、鳴動停止スイッチの下方位置に、位置し、押し操作ボタンを上方に移動させて、前記鳴動停止スイッチを押し操作するようになっている。
【００６４】
この火災感知器では、操作ボタン操作用紐を引っ張ることによって、鳴動停止スイッチを押し操作することができる。
【００６５】
しかも、操作ボタン操作用紐を引っ張ることによって、鳴動停止スイッチを押し操作する機構を、ヘッド部側だけに設けているので、ヘッド部を、完全に、ベース部から切り離すことができる。
【００６６】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【００６７】
即ち、この火災感知器は、ヘッド部の防虫網に付着した埃や塵等の除去をするといった、メンテナンス作業を、極めて、容易に行える。
【００６８】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【００６９】
請求項６に記載の火災感知器は、請求項１〜３のいずれかに記載の火災感知器の、ヘッド部は、鳴動停止スイッチを押し操作する、押し操作ボタンを備え、ヘッド部の所定の位置には、押し操作ボタンの操作部を外部に露出させる貫通孔が設けられ、且つ、押し操作ボタンは、ヘッド部をベース部に正しく取り付けた際に、鳴動停止スイッチの下方位置に、整列する位置に、ヘッド部の内面側に設けられている、貫通孔内に、上下方向に移動自在に設けられており、押し操作ボタンは、貫通孔の上方位置に形成された板体に設けられた押し操作ボタン挿通孔を挿通されており、板体と押し操作ボタンとの間には、弾性体が介在するように設けられており、押し操作ボタンは、弾性体により、貫通孔方向に押し付けられている。
【００７０】
この火災感知器では、鳴動停止スイッチを押し操作する機構を、ヘッド部側だけに設けているので、ヘッド部を、完全に、ベース部から切り離すことができる。
【００７１】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。即ちこの火災感知器は、ヘッド部の防虫網に付着した埃や塵等の除去をするといった、メンテナンス作業を、極めて、容易に行える。
【００７２】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【００７３】
請求項９に記載の火災感知器は、請求項１〜６のいずれかに記載の火災感知器の、ヘッド部は、鍔体部を有し、鍔体部の上面には、ヘッド部の中心方向に張り出した、係止片を有し、ベース部には、その下面に、鍔体部の上面に設けられた係止片を受け入れる係止片挿通孔と、係止片挿通孔に連続するように設けられた係止片受入部を有し、係止片受入部の途中には、係止片挿通孔から係止片受入部の終端方向に向かって肉厚に傾斜するように設けられたテーパ突起が設けられ、ヘッド部の鍔体部に設けられている係止片を、ベース部に設けられている係止片挿通孔に挿入し、ヘッド部を、ベース部に対して、回動し、ヘッド部を、ベース部に正しく取り付けた際に、ヘッド部の鍔体部に設けられた係止片が、係止片挿通孔に連続するように設けられた係止片受入部の途中に設けられたテーパ突起を乗り越え、係止片受入部のテーパ突起と前記係止片受入部の終端との間の係止片受入部内に収容されるようにした。
【００７４】
この火災感知器では、ヘッド部をベース部に取り付けた段階で、ヘッド部の係止片が、テーパ突起を乗り越え、係止片受入部のテーパ突起と係止片受入部の終端との間の係止片受入部内に収容される構造にしているので、操作ボタン操作用紐を下方に引っ張ったり、あるいは、押し操作ボタンを上方に押し操作するだけでは、ヘッド部とベース部との嵌合を解除することができない。
【００７５】
従って、この火災感知器は、操作ボタン操作用紐を下方に引っ張ったり、あるいは、押し操作ボタンを上方に押し操作しても、ベース部からヘッド部が脱落することがないため、安全性に優れている。
【００７６】
のみならず、ベース部からヘッド部の取り外しは、ヘッド部を上方に押し上げながら、ベース部に対し、ヘッド部を回動するという簡単な操作によって行うことができるので、ヘッド部を、簡単に、ベース部から切り離すことができる。
【００７７】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【００７８】
即ち、この火災感知器は、ヘッド部の防虫網に付着した埃や塵等の除去をするといった、メンテナンス作業を、極めて、容易に行える。
【００７９】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【００８０】
請求項８に記載の火災感知器は、請求項１〜７のいずれかに記載の火災感知器の、ベース部の外側の所定の位置には、商用電源を受け入れる、速結端子が設けられ、速結端子の下方位置には、下方に向かって傾斜する傾斜面を備え、ベース部の速結端子が設けられている場所には、開閉自在に、蓋体が設けられており、蓋体には、水抜き孔が設けられ、蓋体を閉じた状態にすると、蓋体に設けられている水抜き孔が、ベース部の速結端子が設けられている位置の下方に設けられている傾斜面の概ね下端位置に来るようにされている。
【００８１】
この火災感知器では、ベース部の外側の所定の位置に速結端子を設けているので、天井裏に配線されている商用電源線を、速結端子に接続することで、火災感知器を動作させる電源を得ることができる。
【００８２】
この場合、火災感知器のベース部を天井に設けられた火災感知器取付け用孔内に埋め込むように取り付けた後において、電源供給線が、天井の下方には現れない。
【００８３】
この結果、この火災感知器は、天井に取り付けられた後の状態において、住戸人の目に電源供給線が触れることがないため、天井に取り付けられた後の美観が優れている。
【００８４】
また、速結端子の下方位置には、開閉自在に、蓋体が設けているので、蓋体を開いた状態にして、商用電源線を、速結端子に、簡単に、接続することができる。
【００８５】
また、速結端子を横方向に設け、速結端子の下方には、水を下方側に誘導する傾斜面を設けるとともに、蓋体には、水抜き孔を設け、且つ、蓋体を閉じた状態にすると、蓋体に設けられている水抜き孔が、ベース部の速結端子が設けられている位置の下方に設けられている傾斜面の概ね下端位置に来るようにしているので、仮に、屋根裏に、雨水が侵入したり、屋根裏に配線されている商用電源線に結露が生じたりして、そのような水が、商用電源線を伝ってきたとしても、そのような水は、速結端子内へ流れ込まず、速結端子の下方に設けられている傾斜面を伝って、蓋体に設けられている水抜き孔から排出されるため、速結端子内に、水が侵入して、速結端子部分において、ショートが発生するような事態が生じない。
【００８６】
即ち、この火災感知器は、安全性に優れている。
【００８７】
請求項９に記載の火災感知器は、請求項１〜８のいずれかに記載の火災感知器の、ベース部は、電気回路部品収容部と、電気回路部品収容部の上面を覆うように設けられたベース部上蓋体とを備え、ベース部の電気回路部品収容部の上面には、段差部が設けられるとともに、ベース部の段差部を形成する面が傾斜面にされており、ベース部のベース部上蓋体の下面には、ベース部の電気回路部品収容部の上面に形成された段差部に対応する段差部が設けられ、且つ、ベース部上蓋体の段差部を形成する面が、ベース部の電気回路部品収容部の上面の段差部を形成する傾斜面に対応する傾斜面にされている。
【００８８】
従って、この火災感知器では、ベース部の電気回路部品収容部に、電気回路部品収容部の上面を覆うようにベース部上蓋体を取り付けると、各々の段差部を形成している傾斜面の各々が、当接する。
【００８９】
この結果、電気回路部品収容部とベース部上蓋体との間が、気密に塞がれるため、この火災感知器は、天井に設けられた火災感知器取付け用孔内に、ベース部を取り付けた後において、電気回路部品収容部とベース部上蓋体との間を通じて、室内の空気が、天井裏に逃げることがない。
【００９０】
即ち、この火災感知器は、火災感知器取付け用孔内に対して、火災感知器を気密に取り付けさえすれば、室内の気密性を阻害することがない。
【００９１】
請求項１０に記載の火災感知器は、請求項１〜９のいずれかに記載の火災感知器の、通電表示回路は、通電表示灯を備え、ヘッド部は、ベース部にヘッド部を取り付けた状態にした場合に、ベース部の外方へ張り出すように設けられた鍔体部と、光ガイド部材を備え、光ガイド部材は、その一端部が、ヘッド部の裏面側に、且つ、ベース部にヘッド部を取り付けた際に、通電表示灯の下方位置に位置するようにされ、且つ、その他端部が、ヘッド部の、ベース部の外方へ張り出すように設けられた鍔体部の外周側近傍位置において、ヘッド部を貫通し、ヘッド部の正面側に露呈するように、ヘッド部に設けられている。
【００９２】
この火災感知器では、ベース部の内部の所定の位置に設けられている、通電表示回路の通電表示灯が点灯した際の光を、光ガイド部材の一端部から他端部まで誘導し、且つ、その他端部を、ヘッド部の鍔体部の外周側近傍位置において、ヘッド部を貫通させて、ヘッド部の正面側に露呈しているので、通電表示灯が点灯したか否かを、光ガイド部材の他端部において確認することができる。この光ガイド部材の他端部は、ヘッド部に設けた光ガイド部材により、ベース部の外方へ張り出すように設けられた鍔体部の外周側近傍位置において、ヘッド部の正面側に露呈させているので、光ガイド部材の他端部は、ヘッド部から離れた位置にあり、ヘッド部が邪魔にならず、視認性に優れている。
【００９３】
従って、この火災感知器では、通電表示灯が点灯したか否かを、ヘッド部から離れた位置にある、光ガイド部材の他端部を見ればよいので、通電表示灯が点灯したか否かの確認を、極めて、容易に行える。
【００９４】
請求項１１に記載の火災感知器は、請求項１〜１０のいずれかに記載の火災感知器の、ベース部は、ベース部の外方に張り出すように設けられた鍔体部を有し、且つ、ベース部は、一対の取付金具を備え、一対の取付金具の各々は、ベース部の上面に設けられた、一対の取付金具収容部の各々に収容され、且つ、一対の取付金具の各々は、一対の取付金具収容部の各々から、ベース部の外方に引き出した状態にすれば、一対のボルト手段の各々を回転することにより、ベース部の上側から下側に移動可能にされており、且つ、一対の取付金具収容部の各々内には、一対のボルト手段の各々を回転させた際に、一対の取付金具収容部の各々内に収容されている、一対の取付金具が、一対の取付金具収容部の各々から、ベース部の外方に引き出され易くするために、一対の取付金具収容部の各々に、ベース部の中心部から外方に向かってなだらかに下方に傾斜する傾斜面が設けられ、天井に設けられた火災感知器取付け用孔内に、ベース部を埋め込むように収容した後、一対のボルト手段の各々を回転させて、前記一対の取付金具収容部の各々内に収容されている、一対の取付金具を、ベース部の外方に引き出し、その後、一対のボルト手段の各々を回転することにより、一対の取付金具の各々を、ベース部の上側から下側に移動させ、一対の取付金具の各々と、ベース部に設けられている鍔体部とにより、天井を挟持することで、ベース部を、天井に設けられた、火災感知器取付け用孔内に、埋め込まれるように取り付けるようにした。
【００９５】
この火災感知器では、別個独立したネジ等の固着手段を用いるのではなく、ベース部に設けられている、一対のボルト手段を回転させて、一対の取付金具と、ベース部に設けられている鍔体部とにより、天井を挟持させることで、ベース部を、天井に設けられた火災感知器取り付け用孔内に、埋め込まれるように、取り付けしている。
【００９６】
この結果、この火災感知器では、天井に、火災感知器を取り付ける際に、ネジ等の固着手段が落下することが一切ないため、天井に、簡単に、火災感知器を取り付けることができる。
【００９７】
のみならず、この火災感知器では、一対の取付金具収容部の各々内には、一対のボルト手段の各々を回転させた際に、一対の取付金具収容部の各々内に収容されている、一対の取付金具が、一対の取付金具収容部の各々から、ベース部の外方に引き出され易くするために、一対の取付金具収容部の各々に、ベース部の中心部から外方に向かってなだらかに下方に傾斜する傾斜面を設けているので、天井に設けられた火災感知器取り付け用孔内に、一対の取付金具の各々を、一対の取付金具収容部の各々内に収容させた状態で、ベース部を挿入した後において、一対の取付金具の各々を、一対の取付金具収容部の各々から、ベース部の外方領域に簡単に引き出すことができる。
【００９８】
即ち、この火災感知器は、一対の取付金具収容部の各々に、ベース部の中心部から外方に向かってなだらかに下方に傾斜する傾斜面を設けているので、天井に設けられた火災感知器取り付け用孔内に、一対の取付金具の各々を、一対の取付金具収容部の各々内に収容させた状態で、ベース部を挿入した後において、一対の取付金具の各々を、一対の取付金具収容部の各々から、ベース部の外方領域に引き出す作業を失敗することがないため、天井に設けられた、火災感知器取り付け用孔内に、ベース部を、埋め込むようにして、簡単に、取り付けることができる。
【００９９】
請求項１２に記載の火災感知器は、請求項１〜１０のいずれかに記載の火災感知器の、ベース部は、ベース部の外方に張り出すように設けられた鍔体部を有し、且つ、ベース部は、一対の取付金具を備え、一対の取付金具の各々は、一方片を他方片に比べて、長い状態にして、略くの字形状に折り曲げられており、且つ、その折曲部には、長孔が設けられ、一対の取付金具の各々は、一対の取付金具の各々に設けられている長孔内に、一対のボルト手段の各々が、挿入され、且つ、一対のボルト手段に螺合させたナット手段により、ベース部の概ね上面領域内に、一対の取付金具の一方片の各々が収容されるように、一対の取付金具の一方片が、逆ハの字形状になるように取り付けられており、天井に設けられた火災感知器取付け用孔内に、ベース部を埋め込むように収容した後、一対のボルト手段の各々を回転することにより、一対のボルト手段に螺合しているナット手段を緩めることで、一対の取付金具の各々を、各々の一方片の自重により、一方片の各々が、ベース部の上面領域の外方に位置するように、傾倒させ、更に、一対の取付金具の各々一方片が、天井に当接するようにし、その後、一対のボルト手段の各々を、一対のボルト手段に螺合させたナット手段の各々が、締まる方向に、回転させ、一対の取付金具の各々と、ベース部に設けられている鍔体部とにより、天井を挟持することで、ベース部を、天井に設けられた、火災感知器取付け用孔内に、埋め込まれるように取り付けるようにした。
【０１００】
この火災感知器では、別個独立したネジ等の固着手段を用いるのではなく、ベース部に設けられている、一対のボルト手段を回転させて、一対の取付金具と、ベース部に設けられている鍔体部とにより、天井を挟持させることで、ベース部を、天井に設けられた火災感知器取り付け用孔内に、埋め込まれるように、取り付けしている。
【０１０１】
この結果、この火災感知器では、天井に、火災感知器を取り付ける際に、ネジ等の固着手段が落下することが一切ないため、天井に、簡単に、火災感知器を取り付けることができる。
【０１０２】
【発明の実施の形態】
以下、図面を参照しながら、本発明に係る火災感知器を、更に詳しく説明する。
（発明の実施の形態１）
図１は、本発明に係る火災感知器の一例を概略的に示す分解斜視図であり、図２は、図１に示す火災感知器を概略的に示す斜視図である。
【０１０３】
また、図３は、図１に示す火災感知器を概略的に示す説明図であり、図３（ａ）は、ベース部２を下方から上方向に見た状態を概略的に示す平面図であり、また、図３（ｂ）は、ヘッド部３を上方から下方向に見た状態を概略的に示す平面図である。
【０１０４】
また、図４及び図５の各々は、ベース部２を天井Ｃに設けられた火災感知器取付け用孔ｈｃ内に取り付けた状態を示しており、図４は、ベース部２からヘッド部３を取り外した状態を概略的に示す断面図であり、また、図５は、ベース部２にヘッド部３を取り付けた状態を概略的に示す断面図である。
【０１０５】
この火災感知器１は、ベース部２と、ベース部２とは別体に設けられたヘッド部３とを備える。
【０１０６】
ベース部２は、図４及び図５に示すように、天井Ｃの所定の位置に設けられた火災感知器取付け用孔ｈｃに、埋め込まれるように取り付けられるようになっている。
【０１０７】
即ち、火災感知器取付け用孔ｈｃは、天井Ｃに、ベース部２の外形に等しいかやや大きい大きさに形成されている。
【０１０８】
また、ベース部２は、その下方位置に、ベース部２の外方に広がるように且つ火災感知器取付け用孔ｈｃよりもやや大きい鍔体部２ｓを備える。
【０１０９】
また、ベース部２は、ベース部２の側面の対向する位置に、一対の取付金具４、４を備える。
【０１１０】
一対の取付金具４、４の各々は、一対のボルト手段ｖ、ｖの各々によって、ベース部２に取り付けられている。
【０１１１】
より詳しく説明すると、ベース部２の上面には、一対の取付金具収容部２ａ、２ａが設けられており、ベース部２の、一対の取付金具収容部２ａ、２ａの各々の領域内には、ボルト挿通孔（図２０（ａ）、図２０（ｂ）及び図２０（ｃ）の各々に示すボルト挿通孔ｈｖを参照）が形成されている。
【０１１２】
一対のボルト手段ｖ、ｖの各々は、ベース部２の内部側からその先端部が、一対の取付金具収容部２ａ、２ａの各々の領域内に設けられているボルト挿通孔（図２０（ａ）、図２０（ｂ）及び図２０（ｃ）の各々に示すボルト挿通孔ｈｖを参照）の各々が挿通されている。
【０１１３】
一対の取付金具収容部２ａ、２ａの各々の領域内に設けられているボルト挿通孔（図２０（ａ）、図２０（ｂ）及び図２０（ｃ）の各々に示すボルト挿通孔ｈｖを参照）の各々を挿通した、一対のボルト手段ｖ、ｖの各々は、ベース部２の上面の、一対の取付金具収容部２ａ、２ａの各々の上に設けられている、一対の取付金具４、４の各々に、螺合されている。
【０１１４】
尚、図１では、一対のボルト手段ｖ、ｖの各々と、一対の取付金具４、４の各々とが分離した状態で表されているが、実際には、一対のボルト手段ｖ、ｖの各々は、一対の取付金具４、４の各々に、螺合された後、各々の先端部がつぶされたり、又は、ナット手段（図示せず。）に螺合・固定されることで、ベース部２から分離できないようにされている。
【０１１５】
一対の取付金具４、４の各々は、最初は、ベース部２の上面に設けられた、一対の取付金具収容部２ａ、２ａの各々に収容されている（図２を参照）。
【０１１６】
より具体的に説明すると、一対の取付金具４、４の各々は、最初は、ベース部２の上面に設けられた、一対の取付金具収容部２ａ、２ａの各々の領域に設けられている傾斜面Ｔ１、Ｔ１の上に載せられた状態にされて、一対の取付金具収容部２ａ、２ａの各々に収容されている。
【０１１７】
そして、ベース部２は、一対の取付金具４、４の各々と、ベース部２の下方位置に設けられた鍔体部２ｓとにより、天井Ｃを挟持するようにして、天井Ｃの所定の位置に設けられた火災感知器取付け用孔ｈｃに、埋め込まれるようにして、取り付けられるようになっている（図４及び図５を参照）。
【０１１８】
ヘッド部３は、煙検知部３ａと、鍔体３ｓとを備える。
【０１１９】
煙検知部３ａには、貫通孔ｈ３・・・が形成されており、貫通孔ｈ３・・・を介して、大気が、煙検知部３ａ内に流通できるようになっている。
【０１２０】
煙検知部３ａ内には、検知回路（図示せず。）が収容されている。
【０１２１】
検知回路（図示せず。）が、例えば、光電式の煙検知センサーである場合には、一般に、煙検知部３ａの貫通孔ｈ３・・・には、防虫網（図示せず。）が張られている。
【０１２２】
尚、図１中、６、６、６、６で示す部材は、煙検知部３ａ内に設けられている検知回路（図示せず。）から導出されている、端子を示している。
【０１２３】
端子６、６、６、６の各々は、鍔体３ｓに形成されている、端子取付孔ｈ３ａ、ｈ３ａ、ｈ３ａ、ｈ３ａの各々内に挿通されている。
【０１２４】
ヘッド部３を、ベース部２に取り付ける際には、端子取付孔ｈ３ａ、ｈ３ａ、ｈ３ａ、ｈ３ａの各々内を挿通された、端子６、６、６、６の各々を、ベース部２に設けられている端子受けｈ２、ｈ２、ｈ２、ｈ２に接続する（図４→図５）。
一方、ベース部２から、ヘッド部３を、取り外す際には、端子６、６、６、６の各々を、端子受けｈ２、ｈ２、ｈ２、ｈ２から抜き取るようにする（図５→図４）。
【０１２５】
尚、この例では、後述するように、ヘッド部３は、ベース部２に、回動動作によって取り付けられ、また、ベース部２から取り外されるようになっている。
このため、端子受けｈ２、ｈ２、ｈ２、ｈ２の各々は、ベース部２と、概ね同心円の関係になるような、円弧状の長孔形状にされている。
そして、ヘッド部３をベース部２に回転動作によって取り付けたり、ヘッド部３から回動動作によってベース部２から取り外す際には、端子６、６、６、６の各々が、端子受けｈ２、ｈ２、ｈ２、ｈ２の各々内に、挿入された状態で、ヘッド部３の回動に伴って、端子受けｈ２、ｈ２、ｈ２、ｈ２の各々内を回動できるようにされている。
そして、ヘッド部３が、ベース部２に正しく取り付けられた状態になると、端子受けｈ２、ｈ２、ｈ２、ｈ２の各々と、端子６、６、６、６の各々との、完全に、電気的・物理的な接合が達成されるようになっている。
【０１２６】
この火災感知器１では、ベース部２を、天井Ｃに設けた火災感知器取付け用孔ｈｃ内に、埋め込まれるように取り付けできるようにしているので、この火災感知器１は、天井Ｃに火災感知器１を取り付けた後の状態において、火災感知器１の天井Ｃの下面からの出っ張りを少なくすることができる。
【０１２７】
この結果、この火災感知器１は、天井Ｃに火災感知器を取り付けた後の状態において、天井Ｃの下面からの出っ張りが少なくなっている分、天井面がすっきりとし、室内の美観が損なわれない。
【０１２８】
この火災感知器１では、ヘッド部３内に設けられている煙及び／又は熱検知手段（検知回路３３）から導出されている接続用端子６、６、６、６を、ベース部２内に設けられている、端子受けｈ２、ｈ２、ｈ２、ｈ２に接続又は引き抜きすることで、煙及び／又は熱検知手段（検知回路３３）とベース部２内の電気回路との電気的・物理的な接続又は分離を可能にし、ベース部２に、ヘッド部３を着脱できるようにしている。
【０１２９】
従って、この火災感知器１では、ヘッド部２の防虫網（図示せず。）に付着した埃や塵等の除去をするといった、メンテナンス作業を行う際には、ヘッド部３内に設けられている煙及び／又は熱検知手段（検知回路３３）から導出されている接続用端子６、６、６、６の各々を、ベース部２内に設けられている、端子受けｈ２、ｈ２、ｈ２、ｈ２から引き抜き、ベース部２からヘッド部３を取り外してから、ヘッド部３の防虫網（図示せず。）に付着した埃や塵等の除去をすればよい。
【０１３０】
即ち、この火災感知器１は、ヘッド部３の防虫網（図示せず。）に付着した埃や塵等の除去をするといった、メンテナンス作業を、極めて、容易に行える。
【０１３１】
また、メンテナンス作業が終了すれば、煙及び／又は熱検知手段（検知回路３３）から導出されている接続用端子６、６、６、６をベース部２内に設けられている端子受けｈ２、ｈ２、ｈ２、ｈ２に接続するだけで、ベース部２へのヘッド部３の取り付け作業が終了するので、メンテナンス作業を、極めて、容易に完了することができる。
【０１３２】
尚、図１中、Ｔ１、Ｔ１で示す部材の各々は、取付金具収容部２ａ、２ａの各々内に収容されている取付金具４、４の各々を、取付金具収容部２ａ、２ａ内の各々から、ベース部２の外方へ引き出すことを容易にするために設けられている、傾斜面を示している。
【０１３３】
傾斜面Ｔ１、Ｔ１の各々は、図１に示すように、ベース部２の中心部から外方に向かってなだらかに下方に傾斜するように設けられている。
【０１３４】
また、図１中、ｈｊで示す部分は、ベース部２に形成された凹部を示しており、取付金具４、４の各々は、一対のボルト手段ｖ、ｖを一方向に回転させると、凹部ｈｊ、ｈｊの各々内を、ベース部２の上方向から下方向に移動し、一対のボルト手段ｖ、ｖを一方向とは逆方向に回転させると、ベース部２の下方向から上方向に移動できるようにされている。
【０１３５】
また、図１中、１０で示す部材は、操作ボタン操作用紐を、また、１１で示す部材は、ベース部２内に設けられている警報回路（図３（ａ）に示す圧電ブザー３５）が鳴動した際に、警報回路（図３（ａ）に示す圧電ブザー３５）の鳴動を停止するために、ベース部２内に設けられている鳴動停止スイッチ（図３（ａ）に示す鳴動停止スイッチ３６）を押し操作するための、押し操作ボタンを示している。
【０１３６】
また、図３（ａ）中、１２で示す部材は、火災感知器１に電源が供給されている際に、点灯する、通電表示灯を示している。この通電表示灯としては、例えば、ＬＥＤ等が用いられる。
【０１３７】
また、図３（ｂ）中、ｈ３ｂで示す部分は、通電表示灯１２の点灯の有無を、住戸人が、確認できるようにするために、ヘッド部３の鍔体３ｓに形成された貫通孔を示している。
【０１３８】
また、図３（ｂ）中、ｈ３ｃで示す部分は、鍔体３ｓに形成された、押し操作ボタン１１を収容する押し操作ボタン収容孔（貫通孔）を示しており、操作ボタン収容孔（貫通孔）ｈ３ｃの周りには、操作ボタン収容孔（貫通孔）ｈ３ｃを囲うように、上方に起立するように設けられた、押し操作ボタン収容起立壁Ｗ３が設けられている。即ち、押し操作ボタン１１は、押し操作ボタン収容起立壁Ｗ３内に収容されている。
【０１３９】
次に、この火災感知器１の回路構成について、概略的に、説明する。
【０１４０】
図６は、火災感知器１の回路構成の一例を概略的に説明する回路図である。
【０１４１】
この火災感知器１は、その内部に、電源回路３１、通電表示回路３２、検知回路３３、動作確認回路３４、及び、警報回路３５を備える。
【０１４２】
検知回路３３は、ヘッド部３内に収容されている。
【０１４３】
電源回路３１は、商用電源（例えば、交流１００Ｖ商用電源）に接続され、商用電源（交流商用電源）を整流、定電圧化し、通電表示回路３２、検知回路３３、動作確認回路３４、及び、警報回路３５へ、整流、定電圧化された電源の供給を行うようになっている。
【０１４４】
通電表示回路３２は、通電表示灯（図３に示す通電表示灯１２）を備え、電源回路３１から電源供給されると、通電表示灯（図３に示す通電表示灯１２）が点灯するようになっている。
【０１４５】
検知回路３３は、煙又は熱を検知することで、火災現象の検知を行う回路部品であり、火災と判断した場合には、警報回路３５へ、発報信号を出力するようになっている。
【０１４６】
動作確認回路３４は、動作確認ボタン（図示せず。）を備え、動作確認ボタン（図示せず。）が押し操作されると、警報回路３５へ、発報疑似信号を出力するようになっている。
警報回路３５と動作確認回路３４との間は、信号線を介して接続されており、警報回路３５と動作確認回路３４との間で、信号のやりとりができるようにされている。
【０１４７】
また、警報回路３５は、圧電ブザー等の鳴動部品（図３に示す圧電ブザー３５を参照）を備え、検知回路３３からの発報信号、又は、動作確認回路３４からの発報疑似信号を受信すると、圧電ブザー等の鳴動部品（図３に示す圧電ブザー３５を参照）から警報音を出力するようになっている。
【０１４８】
この火災感知器１では、電源回路３１から、警報回路３５への電源の供給は、図６に示したように、ヘッド部３を経由した回路を介して、行われるようになっている。
【０１４９】
即ち、この火災感知器１では、電源回路３１から、警報回路３５への電源の供給を、ヘッド部３を経由した回路を介して行っているため、ベース部２に、ヘッド部３が接続されていない場合には、動作確認回路３４に設けられている動作確認ボタン（図示せず。）を押し操作しても、警報回路３５の鳴動部品（図３に示す圧電ブザー３５を参照）から警報音が出力されない。
【０１５０】
従って、この火災感知器１は、ベース部２にヘッド部３が取り付けられていない場合を、正確に、検出することができる。
【０１５１】
図７は、火災感知器１の回路構成の一例を概略的に説明する回路図である。
【０１５２】
図７は、火災感知器１の回路構成は、以下の構成を除けば、図６に示した、火災感知器１の回路構成と同様であるので、説明を容易とするため、図７に示す火災感知器１の回路構成部材装置中、図６に示した、火災感知器１の回路構成部材に相当する部材装置については、相当する参照符号を付して、その説明を省略する。
【０１５３】
図７に示す回路構成を採用した、火災感知器１では、電源回路３１から、警報回路３５と通電表示回路３２との双方への電源の供給を、ヘッド部３を経由した回路を介して行うようにした構成が、図６に示す回路構成と異なっている。
【０１５４】
図７に示す回路構成を採用した、火災感知器１では、警報回路３５だけでなく、通電表示回路３２への電源の供給をも、ヘッド部３を経由した回路を介して行うようにしたため、ベース部２に、ヘッド部３が接続されていない場合には、通電表示回路３２に設けられている、通電表示灯（図１２に示す通電表示灯１２）が、点灯しない。
【０１５５】
即ち、図７に示す回路構成を採用した、火災感知器１では、ベース部２に、ヘッド部３が接続されていない場合には、動作確認回路３４に設けられている動作確認ボタン（図示せず。）を押し操作しても、警報回路３５の鳴動部品（図３に示す圧電ブザー３５を参照）から警報音が出力されないようになっているのみならず、通電表示回路３２に設けられている、通電表示灯（図１２に示す通電表示灯１２）が、点灯しないため、取り付け業者は、火災感知器１も、ベース部２にヘッド部３が取り付けられていない場合を、通電表示灯（図１２に示す通電表示灯１２）の点灯の有無を見ることで、視覚的に、正確に、知ることができる。
【０１５６】
次に、警報回路３５の鳴動部品（図３に示す圧電ブザー３５を参照）から警報音が出力された場合に、鳴動部品（図３に示す圧電ブザー３５を参照）の鳴動を停止させる機構について説明する。
【０１５７】
図８は、警報回路３５の鳴動停止スイッチ３６を押し操作するための押し操作ボタン１１の機構の一例を概略的に示す図であり、図８（ａ）は、押し操作ボタン１１が、鳴動停止スイッチ３６を押し操作していない状態を概略的に示す断面図であり、また、図８（ｂ）は、住戸人が、鳴動部品（図３に示す圧電ブザー３５を参照）の鳴動を停止させるために、操作ボタン操作用紐１０を下方に引っ張り操作した状態を概略的に示す断面図である。
【０１５８】
押し操作ボタン１１は、図８（ａ）及び図８（ｂ）の各々に示すように、ヘッド部３側に設けられている。
【０１５９】
より詳しく説明すると、押し操作ボタン１１は、ヘッド部３の鍔体３ｓに形成された操作ボタン収容孔（貫通孔）ｈ３ｃの周りに形成されている押し操作ボタン収容起立壁Ｗ３内に、収容されている。
【０１６０】
この押し操作ボタン収容起立壁Ｗ３は、ヘッド部３をベース部２に正しく取り付けた際に、鳴動停止スイッチ３６の下方位置に、整列する位置に、ヘッド部３の内面側に設けられている。
【０１６１】
そして、押し操作ボタン１１は、押し操作ボタン収容起立壁Ｗ３内に、上下移動自在に設けられている。
【０１６２】
押し操作ボタン収容起立壁Ｗ３には、操作ボタン操作用紐１０が固定されている。
【０１６３】
より特定的に説明すると、操作ボタン操作用紐１０は、押し操作ボタン収容起立壁Ｗ３の、ヘッド部３の中心側になる部分に、固定されている。
【０１６４】
更に、操作ボタン操作用紐１０は、押し操作ボタン１１内を挿通されている。押し操作ボタン１１内を挿通された操作ボタン操作用紐１０は、その後、ヘッド部３の側面（より詳しくは、鍔体３ｓの側面）に設けられた紐挿通孔ｈ３ｄを通された後、下方に垂れ下がっている。
【０１６５】
火災感知器１の警報回路３５の鳴動部品（図３に示す圧電ブザー３５を参照）が鳴動した際に、住戸人が、鳴動部品（図３に示す圧電ブザー３５を参照）が鳴動を停止したい場合には、図８（ａ）に示すように、住戸人が、操作ボタン操作用紐１０を下方向に引っ張ると、押し操作ボタン１１の自重によって、押し操作ボタン収容起立壁Ｗ３内の下方位置に位置していた押し操作ボタン１１が上方に移動する。
【０１６６】
そして、押し操作ボタン１１が上方に移動することで、鳴動停止スイッチ３６が押し操作される。
【０１６７】
この火災感知器１では、単に、操作ボタン操作用紐１０を引っ張ることによって、鳴動停止スイッチ３６を押し操作することができる。
【０１６８】
しかも、操作ボタン操作用紐１０を引っ張ることによって、鳴動停止スイッチ３６を押し操作する機構を、ヘッド部３側だけに設けているので、ヘッド部３を、完全に、ベース部２から切り離すことができる。
【０１６９】
従って、この火災感知器１では、ヘッド部３の防虫網（図示せず。）に付着した埃や塵等の除去をするといった、メンテナンス作業を行う際には、ヘッド部３内に設けられている煙及び／又は熱検知手段（図５又は図６に示す検知回路３３）から導出されている接続用端子６、６、６、６を、ベース部２内に設けられている、端子受けｈ２、ｈ２、ｈ２、ｈ２から引き抜き、ベース部２からヘッド部３を取り外してから、ヘッド部３の防虫網（図示せず。）に付着した埃や塵等の除去をすればよい。
【０１７０】
即ち、この火災感知器１は、ヘッド部３の防虫網（図示せず。）に付着した埃や塵等の除去をするといった、メンテナンス作業を、極めて、容易に行える。
【０１７１】
また、メンテナンス作業が終了すれば、煙及び／又は熱検知手段（図５又は図６に示す検知回路３３）から導出されている接続用端子６、６、６、６をベース部２内に設けられている端子受けｈ２、ｈ２、ｈ２、ｈ２に接続するだけで、ベース部２へのヘッド部３の取り付け作業が終了するので、メンテナンス作業を、極めて、容易に完了することができる。
【０１７２】
しかも、この火災感知器１では、操作ボタン操作用紐１０が不用の場合には、操作ボタン操作用紐１０を切断したり、取り外しても、住戸人が、押し操作ボタン１１を上方に押し操作すれば、鳴動停止スイッチ３６を押し操作できる構成になっているので、ユーザの都合で、警報の鳴動を止める際の方法を、操作ボタン操作用紐１０を引っ張る方法と、押し操作ボタン１１を上方に押し操作する方法の２通りのいずれかを選択することができる、という利点がある。
【０１７３】
図９は、警報回路３５の鳴動停止スイッチ３６を押し操作するための押し操作ボタン１１の機構の他の一例を概略的に示す図であり、図９（ａ）は、押し操作ボタン１１が、鳴動停止スイッチ３６を押し操作していない状態を概略的に示す断面図であり、また、図９（ｂ）は、住戸人が、鳴動部品（図３に示す圧電ブザー３５を参照）の鳴動を停止させるために、操作ボタン操作用紐１０を下方に引っ張り操作した状態を概略的に示す断面図であり、また、図９（ｃ）は、住戸人が、鳴動部品（図３に示す圧電ブザー３５を参照）の鳴動を停止させた状態を概略的に示す断面図である。
【０１７４】
押し操作ボタン１１は、ヘッド部３をベース部２に正しく取り付けた際に、鳴動停止スイッチ３６の下方位置に、整列する位置に、ヘッド部３の内面側に設けられている、貫通孔ｈ３ｄに、上下方向に移動自在に設けられている。
【０１７５】
押し操作ボタン１１は、テーパ片収容孔ｈ１１ａを有している。
【０１７６】
このテーパ片収容孔ｈ１１ａは、ヘッド部３の中心側方向において、上方に広くなっている。
【０１７７】
また、このテーパ片収容孔ｈ１１ａ内には、テーパ片Ｔ２が横方向に移動自在に収容されている。
【０１７８】
このテーパ片Ｔ２には、操作ボタン操作用紐１０が固定されている。
【０１７９】
操作ボタン操作用紐１０は、ヘッド部３の側面（より詳しくは、鍔体３ｓの側面）に設けられた紐挿通孔ｈ３ｄを通された後、下方に垂れ下がっている。
【０１８０】
且つ、ヘッド部３の側面内側（より詳しくは、鍔体３ｓの側面内側）には、弾性体（この例では、つる巻バネ）Ｅが収容されている。
【０１８１】
また、操作ボタン操作用紐１０には、弾性体（この例では、つる巻バネ）Ｅの、ヘッド部３の中心側に位置する操作ボタン操作用紐１０が引っ張られた際に、弾性体Ｅを押す弾性体押し操作部Ｐｒが設けられている。
【０１８２】
通常の状態では、テーパ片Ｔ２の細い部分が、前記鳴動停止スイッチの下方位置に、位置するようにされている。即ち、テーパ片Ｔ２が、テーパ片収容孔ｈ１１ａ内に、きっちりと収まった状態になっている（図９（ａ）を参照）。
【０１８３】
火災感知器１の警報回路３５の鳴動部品（図３に示す圧電ブザー３５を参照）が鳴動した際に、住戸人が、鳴動部品（図３に示す圧電ブザー３５を参照）が鳴動を停止したい場合には、図９（ｂ）及び図９（ｃ）に示すように、住戸人が、操作ボタン操作用紐１０を下方向に引っ張ると、テーパ片Ｔ１の太い部分が、鳴動停止スイッチ３６の下方位置に、位置し、押し操作ボタン１１を上方に移動させて、鳴動停止スイッチ３６を押し操作するようになっている。
【０１８４】
一方、住戸人が、操作ボタン操作用紐１０から手を離すと、弾性体Ｅの復元力により、元の状態、即ち、図９（ａ）の状態に戻るようにしてある。
【０１８５】
図９に示した機構を備える火災感知器でも、操作ボタン操作用紐１０を引っ張ることによって、鳴動停止スイッチ３６を押し操作することができる。
【０１８６】
しかも、操作ボタン操作用紐１０を引っ張ることによって、鳴動停止スイッチ３６を押し操作する機構を、ヘッド部３側だけに設けているので、ヘッド部２を、完全に、ベース部２から切り離すことができる。
【０１８７】
従って、図９に示した機構を備える火災感知器でも、ヘッド部２の防虫網（図示せず。）に付着した埃や塵等の除去をするといった、メンテナンス作業を行う際には、ヘッド部３内に設けられている煙及び／又は熱検知手段（検知回路３３）から導出されている接続用端子６、６、６、６を、ベース部２内に設けられている、端子受けｈ２、ｈ２、ｈ２、ｈ２から引き抜き、ベース部２からヘッド部３を取り外してから、ヘッド部３の防虫網（図示せず。）に付着した埃や塵等の除去をすればよい。
【０１８８】
即ち、図９に示す機構を備える火災感知器は、ヘッド部２の防虫網（図示せず。）に付着した埃や塵等の除去をするといった、メンテナンス作業を、極めて、容易に行える。
【０１８９】
また、メンテナンス作業が終了すれば、煙及び／又は熱検知手段（検知回路３３）から導出されている接続用端子６、６、６、６をベース部２内に設けられている端子受けｈ２、ｈ２、ｈ２、ｈ２に接続するだけで、ベース部２へのヘッド部３の取り付け作業が終了するので、メンテナンス作業を、極めて、容易に完了することができる。
【０１９０】
図１０は、警報回路３５の鳴動停止スイッチ３６を押し操作するための押し操作ボタン１１の機構の他の一例を概略的に示す図であり、図１０（ａ）は、押し操作ボタン１１が、鳴動停止スイッチ３６を押し操作していない状態を概略的に示す断面図であり、また、図１０（ｂ）は、住戸人が、鳴動部品（図３に示す圧電ブザー３５を参照）の鳴動を停止させるために、押し操作ボタン１１を上方に押し操作した状態を概略的に示す断面図である。
【０１９１】
押し操作ボタン１１は、ヘッド部３をベース部２に正しく取り付けた際に、鳴動停止スイッチ３６の下方位置に、整列する位置に、ヘッド部の内面側に設けられている、貫通孔ｈ３ｄ内に、上下移動自在に設けられている。
【０１９２】
押し操作ボタン１１は、貫通孔ｈ３ｄの上方位置に形成された板体Ｍに設けられた押し操作ボタン挿通孔ｈｍを挿通されている。
【０１９３】
この板体Ｍは、弾性体Ｅａを受けるために設けられるものである。
【０１９４】
板体Ｍと押し操作ボタン１１との間には、弾性体Ｅａが介在するように設けられている。
【０１９５】
押し操作ボタン１１の外周には、弾性体Ｅａを受けるための弾性体受け用の鍔体１１ｆが、押し操作ボタン１１の外周から突出するように形成されている。
【０１９６】
そして、押し操作ボタン１１は、弾性体Ｅａの付勢力により、貫通孔ｈ３ｄ方向に押し付けられた状態にされている。
【０１９７】
この状態においては、鳴動停止スイッチ３６と、押し操作ボタン１１とは離れている（図１０（ａ）を参照）。
【０１９８】
火災感知器１の警報回路３５の鳴動部品（図３に示す圧電ブザー３５を参照）が鳴動した際に、住戸人が、鳴動部品（図３に示す圧電ブザー３５を参照）が鳴動を停止したい場合には、図１０（ｂ）に示すように、住戸人が、押し操作ボタン１１を上方向に押し操作する。
【０１９９】
すると、弾性体Ｅａが押し操作ボタン１１によって押し縮められ、押し操作ボタン１１によって、鳴動停止スイッチ３６が押し操作される。
【０２００】
一方、住戸人が、押し操作ボタン１１から手を離すと、弾性体Ｅａの復元力により、元の状態、即ち、図１０（ａ）の状態に戻るようにしてある。
【０２０１】
図１０に示した機構を備える火災感知器は、押し操作ボタン１１を押し操作することで、鳴動停止スイッチ３６を押し操作することができる。
【０２０２】
しかも、鳴動停止スイッチ３６を押し操作する機構を、ヘッド部３側だけに設けているので、ヘッド部２を、完全に、ベース部２から切り離すことができる。
【０２０３】
従って、図１０に示した機構を備える火災感知器でも、ヘッド部２の防虫網（図示せず。）に付着した埃や塵等の除去をするといった、メンテナンス作業を行う際には、ヘッド部３内に設けられている煙及び／又は熱検知手段（検知回路３３）から導出されている接続用端子６、６、６、６を、ベース部２内に設けられている、端子受けｈ２、ｈ２、ｈ２、ｈ２から引き抜き、ベース部２からヘッド部３を取り外してから、ヘッド部３の防虫網（図示せず。）に付着した埃や塵等の除去をすればよい。
【０２０４】
即ち、図１０に示す機構を備える火災感知器は、ヘッド部２の防虫網（図示せず。）に付着した埃や塵等の除去をするといった、メンテナンス作業を、極めて、容易に行える。
【０２０５】
また、メンテナンス作業が終了すれば、煙及び／又は熱検知手段（検知回路３３）から導出されている接続用端子６、６、６、６をベース部２内に設けられている端子受けｈ２、ｈ２、ｈ２、ｈ２に接続するだけで、ベース部２へのヘッド部３の取り付け作業が終了するので、メンテナンス作業を、極めて、容易に完了することができる。
【０２０６】
次に、火災感知器１のベース部２に、ヘッド部３を取り付ける、具体的な手順について説明する。
【０２０７】
図１１は、ベース部２に、ヘッド部３を取り付ける手順を概略的に説明する説明図である。
【０２０８】
また、図１２は、ベース部２の鍔体部２ｓと、ヘッド部３の鍔体部３ｓとを中心にして概略的に説明する説明図であり、また、図１３は、火災感知器１を断面視して、ベース部２に、ヘッド部３を取り付ける手順を概略的に説明する説明図である。
【０２０９】
図３及び図１１乃至図１３を参照しながら説明すると、ヘッド部３の鍔体部３ｓの上面には、ヘッド部３の中心方向に張り出した、係止片Ｐｓ・・・を有する。
【０２１０】
また、ベース部２の鍔体部２ｓには、その下面に、ヘッド部３の鍔体部３ｓの上面に設けられた係止片Ｐｓ・・・を受け入れる係止片挿通孔ｈｐｓ・・・が形成されている。
【０２１１】
この係止片挿通孔ｈｐｓ・・・の各々には、連続するように係止片受入部Ｒ・・・を有する。
【０２１２】
係止片受入部Ｒ・・・の各々の途中には、係止片挿通孔ｈｐｓから係止片受入部Ｒの終端方向に向かって肉厚に傾斜するように設けられたテーパ突起Ｔ３が設けられている。
【０２１３】
ベース部２にヘッド部３を取り付ける際には、まず、ヘッド部３の鍔体部３ｓに設けられている係止片Ｐｓ・・・のを、ベース部２に設けられている係止片挿通孔ｈｐｓ・・・の各々に挿入する。
【０２１４】
その後、ヘッド部３を、ベース部２に対して、回動する。
【０２１５】
より詳しく説明すると、ヘッド部３を、ベース部２に対して、係止片受入部Ｒ・・・が存在する方向に、回動する。
【０２１６】
すると、ヘッド部３の鍔体部３ｓに設けられた係止片Ｐｓ・・・の各々が、係止片挿通孔ｈｐｓ・・・の各々に連続するように設けられた係止片受入部Ｒ・・・の各々の途中に設けられたテーパ突起Ｔ３・・・を乗り越え、係止片受入部Ｒ・・・の各々のテーパ突起Ｔ３と係止片受入部Ｒの終端との間の係止片受入部Ｒｔ・・・の各々内に収容されるようにしている。
【０２１７】
この火災感知器１では、ヘッド部３をベース部２に取り付けた段階で、ヘッド部３の係止片Ｐｓ・・・の各々が、テーパ突起Ｔ３・・・の各々を乗り越え、係止片受入部Ｒ・・・のテーパ突起Ｔ３と係止片受入部Ｒの終端との間の係止片受入部Ｒｔ・・・の各々内に収容される構造にしているので、操作ボタン操作用紐１０を下方に引っ張ったり、あるいは、押し操作ボタン１１を上方に押し操作するだけでは、ヘッド部３とベース部２との嵌合を解除することができない。
【０２１８】
従って、この火災感知器１は、操作ボタン操作用紐１０を下方に引っ張ったり、あるいは、押し操作ボタン１１を上方に押し操作しても、ベース部２からヘッド部３が脱落することがないため、安全性に優れている。
【０２１９】
のみならず、ベース部２からヘッド部３の取り外しは、ヘッド部３を上方に押し上げながら、ベース部２に対し、ヘッド部３を、係止片挿通孔ｈｐｓ・・・の各々が存在する方向に、回動するという簡単な操作によって行うことができるので、ヘッド部３を、簡単に、ベース部２から切り離すことができる。
【０２２０】
従って、この火災感知器１では、ヘッド部３の防虫網（図示せず。）に付着した埃や塵等の除去をするといった、メンテナンス作業を行う際には、ヘッド部３内に設けられている煙及び／又は熱検知手段（検知回路３３）から導出されている接続用端子６、６、６、６を、ベース部２内に設けられている、端子受けｈ２、ｈ２、ｈ２、ｈ２から引き抜き、ベース部２からヘッド部３を取り外してから、ヘッド部３の防虫網（図示せず。）に付着した埃や塵等の除去をすればよい。
【０２２１】
即ち、この火災感知器１は、ヘッド部３の防虫網（図示せず。）に付着した埃や塵等の除去をするといった、メンテナンス作業を、極めて、容易に行える。
【０２２２】
また、メンテナンス作業が終了すれば、煙及び／又は熱検知手段（検知回路３３）から導出されている接続用端子６、６、６、６をベース部２内に設けられている端子受けｈ２、ｈ２、ｈ２、ｈ２に接続するだけで、ベース部へのヘッド部の取り付け作業が終了するので、メンテナンス作業を、極めて、容易に完了することができる。
【０２２３】
次に、この火災感知器１の、電源回路３１と、商用電源線との接続部の構造について説明する。
【０２２４】
図１４は、火災感知器１の、電源回路３１に接続されている速結端子と、商用電源線との接続部の構造を概略的に説明する説明図である。
【０２２５】
図１４（ａ）、図１４（ｂ）及び図１４（ｃ）の各々において、４１で示される部材は、速結端子を示している。
【０２２６】
速結端子の端子孔（図示せず。）は、横方向に向けられている。
【０２２７】
ベース部２の速結端子４１が設けられている場所には、速結端子４１の下方位置に、下方に向かって傾斜する傾斜面Ｔ４が設けられている。
【０２２８】
この例では、ベース部２の速結端子４１が設けられている場所に、凹部を形成し、速結端子４１の下方位置から、ベース部２の外周面に向けて、下方に向かって傾斜する傾斜面Ｔ４を設けている。
【０２２９】
ベース部２の速結端子４１が設けられている場所には、開閉自在に蓋体４２が設けられている。
【０２３０】
蓋体４２には、水抜き孔ｈ４２が設けられている。
【０２３１】
そして、蓋体４２を閉じた状態にすると、蓋体４２に設けられている水抜き孔ｈ４２が、ベース部の速結端子４１が設けられている位置の下方に設けられている傾斜面Ｔ４の概ね下端位置に来るようにされている。
【０２３２】
速結端子４１に、商用電源線Ｌｃを接続する際には、商用電源線Ｌｃの先端から所定の長さだけ絶縁被膜を皮剥ぎし、導線部を露呈させる。
【０２３３】
次に、蓋体４２を開いた状態にする（図１４（ａ）を参照）。
【０２３４】
次に、商用電源線Ｌｃの導線部を、速結端子４１の端子孔（図示せず。）に挿入する（図１４（ｂ）を参照）。これにより、商用電源線Ｌｃは、速結端子４１の、商用電源線Ｌｃの抜け落ちを防止する抜け落ち防止機構を、何らかの、工具により、解除状態にしない限り、商用電源線Ｌｃが、速結端子４１の端子孔（図示せず。）から抜け落ちることがない。
【０２３５】
次に、蓋体４２を閉じた状態にする（図１４（ｃ）を参照）。
【０２３６】
この火災感知器１では、ベース部２の外側の所定の位置に、速結端子４１を設けているので、天井裏に配線されている商用電源線Ｌｃを、速結端子４１に接続することで、火災感知器１を動作させる電源を得ることができる。
【０２３７】
この場合、火災感知器１のベース部を天井に設けられた火災感知器取付け用孔ｈｃ内に埋め込むように取り付けた後において、電源供給線が、天井の下方には現れない。
【０２３８】
この結果、この火災感知器１は、天井Ｃに取り付けられた後の状態において、住戸人の目に電源供給線が触れることがないため、天井に取り付けられた後の美観が優れている。
【０２３９】
また、速結端子４１の端子孔（図示せず。）を横方向に設け、速結端子４１が設けられている場所に、開閉自在に、蓋体４２を設けているので、蓋体４２を開いた状態にして、商用電源線Ｌｃを、速結端子４１に、簡単に、接続することができる。
【０２４０】
また、速結端子４１の端子孔（図示せず。）を横方向に設け、速結端子４１の下方には、水を下方側に誘導する傾斜面Ｔ４を設けるとともに、蓋体４２には、水抜き孔ｈ４２を設け、且つ、蓋体４２を閉じた状態にすると、蓋体４２に設けられている水抜き孔ｈ４２が、ベース部２の速結端子４２が設けられている位置の下方に設けられている傾斜面Ｔ３の概ね下端位置に来るようにしているので、以下のような効果を奏する。
【０２４１】
図１５は、ベース部２の速結端子４１が設けられている位置の下方に設けられている傾斜面Ｔ４、及び、水抜き孔ｈ４２を有する蓋体４２の効果を模式的に説明する説明図である。
【０２４２】
例えば、仮に、屋根裏に、雨水が侵入したり、屋根裏に配線されている商用電源線Ｌｃに結露が生じたりして、そのような水が、商用電源線Ｌｃを伝ってきたとしても（図１５（ａ）及び図１５（ｂ）を参照）、そのような水は、速結端子４１の端子孔（図示せず。）内へ流れ込まず、速結端子４１の下方に設けられている傾斜面Ｔ４を伝って、蓋体４２に設けられている水抜き孔ｈ４２から排出される（図１５（ｃ）を参照）。
【０２４３】
このため、速結端子４１内に、水が侵入して、速結端子４１部分において、ショートが発生するような事態が生じない。
【０２４４】
即ち、この火災感知器１は、安全性に優れている。
【０２４５】
次に、ベース部２の構造について、説明する。
【０２４６】
図１６は、ベース部２の一部を拡大して概略的に示す断面図である。
【０２４７】
ベース部２は、電気回路部品収容部Ｐ２ａと、電気回路部品収容部Ｐ２ａの上面を覆うように設けられたベース部上蓋体Ｐ２ｂとを備える。
【０２４８】
ベース部２の電気回路部品収容部Ｐ２ａの上面には、段差部Ｓｔａが設けられるとともに、ベース部２の段差部Ｓｔａを形成する面Ｔ５が傾斜面にされている。
【０２４９】
一方、ベース部２のベース部上蓋体Ｐ２ｂの下面には、ベース部２の電気回路部品収容部Ｐ２ａの上面に形成された段差部Ｓｔａに対応する段差部Ｓｔｂが設けられている。
【０２５０】
そして、ベース部上蓋体Ｐ２ｂの段差部Ｓｔｂを形成する面は、ベース部２の電気回路部品収容部Ｐ２ａの上面の段差部Ｓｔａを形成する傾斜面Ｔ５に対応する傾斜面Ｔ６にされている。
【０２５１】
この火災感知器１では、ベース部２の電気回路部品収容部Ｐ２ａに、電気回路部品収容部Ｐ２ａの上面を覆うようにベース部上蓋体Ｐ２ｂを取り付けると、各々の段差部Ｓｔａ、Ｓｔｂを形成している傾斜面Ｔ５、Ｔ６の各々が、当接する。  このように、この火災感知器１では、傾斜面Ｔ５と傾斜面Ｔ６との当接という長い面接触部を形成しているので、電気回路部品収容部Ｐ２ａとベース部上蓋体Ｐ２ｂとの間が、気密に塞がれる。
【０２５２】
このため、この火災感知器１は、天井Ｃに設けられた火災感知器取付け用孔ｈｃ内に、ベース部２を取り付けた後において、電気回路部品収容部Ｐ２ａとベース部上蓋体Ｐ２ｂとの間を通じて、室内の空気が、天井裏に逃げることがない。
【０２５３】
即ち、この火災感知器１は、火災感知器取付け用孔ｈｃ内に対して、火災感知器１を気密に取り付けさえすれば、室内の気密性を阻害することがない。
【０２５４】
次に、火災感知器１に商用電源から電源が供給されているか否かを簡単に知ることができると同時に、ベース部に、ヘッド部が取り付けられていない場合、又は、ヘッド部内に設けられている煙及び／又は熱検知手段からは接続用端子が、ベース部内に設けられている端子受けに、正しく、接続されていない場合を容易に知ることができるようにした回路構成の一例について説明する。
【０２５５】
図１７は、そのような回路構成を例示的に示すブロック図である。
【０２５６】
図１８は、ベース部２の回路図である。
【０２５７】
この例においては、通電表示回路３４は、入力Ａの電圧が、ハイ（Ｈｉｇｈ）の場合、通電表示回路３４に設けられている通電表示灯（図３に示す通電表示灯１２を参照）の点灯を行い、入力Ａの電圧が、ロウ（Ｌｏｗ）の場合には、通電表示灯（図３に示す通電表示灯１２を参照）を点滅させる動作をするようになっている。
【０２５８】
警報回路３５は、入力Ａの電圧が、ハイ（Ｈｉｇｈ）の場合は、警報音を出力せず、
入力Ａの電圧が、ロウ（Ｌｏｗ）の場合には、警報音を出力するようになっている。
【０２５９】
また、検知回路３３は、火災を検知すると、トランジスタ（図１７に示すトランジスタＴＲ）をオンし、入力Ａの電圧を、ロウ（Ｌｏｗ）にする。
【０２６０】
よって、検知回路３３が、火災を検知した場合、この火災感知器１では、警報回路３５から警報音が鳴り出すとともに、通電表示回路３４に設けられている通電表示灯（図３に示す通電表示灯１２を参照）が点滅動作をすることになる。
【０２６１】
ここで、ベース部２に、ヘッド部３が取り付けられていない場合、又は、ベース部２に、ヘッド部３が正しく取り付けられていない場合を考えると、入力Ａの電圧は、抵抗Ｘを介して、グランドに接続されるため、ロウ（Ｌｏｗ）になる。これにより、通電表示回路３４と警報回路３５とは、検知回路３３が火災を検知した場合と同じ動作を行うことになるが、この火災感知器１では、警報回路３５については、電源回路３１からの電源電圧が、ヘッド部３を介して供給されるようになっているため、ベース部２に、ヘッド部３が取り付けられていない場合、又は、ベース部２に、ヘッド部３が正しく取り付けられていない場合には、警報回路３５には、電源回路３１からの電源電圧の供給が行われないため、警報回路３５から、警報音が鳴り出すことはない。
【０２６２】
即ち、この状態では、警報回路３５は動作せず、通電表示回路３４の通電表示灯（図３に示す通電表示灯１２を参照）のみが点滅動作をすることになる。
【０２６３】
また、ベース部２に、ヘッド部３が正しく取り付けられている状態を考えると、入力Ａの電圧は、電源回路３１からの電源電圧を抵抗Ｘと抵抗Ｙとで分圧した値となるが、ここで、抵抗Ｘが抵抗Ｙに対して、非常に大きいとすると、入力Ａの電圧は、ハイ（Ｈｉｇｈ）となり、通電表示回路３４の通電表示灯（図３に示す通電表示灯１２を参照）は点灯するのに対し、警報回路３５から、警報音が鳴り出すことはない。
【０２６４】
したがって、図１７及び図１８に示した回路構成を備える火災感知器１は、ベース部２に、ヘッド部３が取り付けられていない場合、又は、ベース部２に、ヘッド部３が正しく取り付けられていない場合に、電源回路３１に電源が供給されると、通電表示回路３４の通電表示灯（図３に示す通電表示灯１２を参照）のみが点滅動作をするため、電源回路３１に商用電源が接続されているかどうかと、ベース部２に、ヘッド部３が正しく接続されているかどうかとを、同時に、確認することができる。
【０２６５】
即ち、この火災感知器１は、天井への取り付け作業において、取り付け業者が、取り付け作業ミスをすることが無い、といったような利点を有する。
【０２６６】
次に、この火災感知器１を、天井Ｃに設けられている火災感知器取付け用孔ｈｃ内に取り付ける手順について説明する。
【０２６７】
図１９は、火災感知器１を、天井Ｃに設けられている火災感知器取付け用孔ｈｃ内に取り付ける手順を概略的に示す説明図であり、また、図２０は、取付金具４の動作を概略的に示す説明図である。
【０２６８】
一対の取付金具４、４の各々は、最初は、ベース部２の上面に設けられた、一対の取付金具収容部２ａ、２ａの各々に収容されている（図１９（ａ）を参照）。
【０２６９】
より具体的に説明すると、一対の取付金具４、４の各々は、最初は、ベース部２の上面に設けられた、一対の取付金具収容部２ａ、２ａの各々の領域に設けられている傾斜面Ｔ１、Ｔ１の上に載せられた状態にされて、一対の取付金具収容部２ａ、２ａの各々に収容されている。
【０２７０】
ベース部２は、このように、一対の取付金具４、４の各々が、搬送の際に邪魔にならないように、一対の取付金具収容部２ａ、２ａの各々に収容された状態で、火災感知器１の取り付け現場に搬送されてくる。
【０２７１】
まず、この火災感知器１を、天井Ｃに取り付ける際には、天井Ｃの、火災感知器１を取り付ける位置に、火災感知器１のベース部２の外形に等しいかこれよりやや大きい大きさの火災感知器取付け用孔ｈｃを形成する。次いで、天井Ｃ裏に配線されている、商用電源線Ｌを導出し、ベース部２内に設けられている電源回路（図２に示す電源回路３１）に接続された速結端子４１に、商用電源線（図示せず。）を接続する。
【０２７２】
その後、ベース部２を、火災感知器取付け用孔ｈｃに挿入する（図２０（ａ）を参照）。
【０２７３】
次に、一対のボルト手段ｖ、ｖの各々を回転させる。
【０２７４】
この火災感知器１では、ベース部２の、一対の取付金具収容部２ａ、２ａの各々内の、傾斜面Ｔ１、Ｔ１の各々の上に、一対の取付金具４、４を設けている。
【０２７５】
この傾斜面Ｔ１、Ｔ１の各々は、図１に示すように、ベース部２の中心部から外方に向かってなだらかに下方に傾斜するように設けられているので、一対のボルト手段ｖ、ｖの各々を回転させると、一対の取付金具４、４の各々は、傾斜面Ｔ１、Ｔ１の各々に誘導されて、一対の取付金具収容部の各々から、ベース部２の外方に引き出した状態になる（図１９（ｂ）及び図２０（ｂ）を参照）。
【０２７６】
その後、一対のボルト手段ｖ、ｖの各々を一方向に回転させると、ベース部２に設けられている凹部ｈｊ、ｈｊの各々内を、ベース部２の上方向から下方向に移動し、ヘッド部２の鍔体部２ｓと、一対の取付金具４、４の各々とにより、天井Ｃを挟持する。
【０２７７】
これにより、ベース部２は、天井Ｃに設けられた火災感知器取付け用孔ｈｃ内に、しっかりと、取り付けられる（図２０（ｃ）を参照）。
【０２７８】
即ち、この火災感知器１では、別個独立したネジ等の固着手段を用いるのではなく、ベース部２に設けられている、一対のボルト手段ｖ、ｖを回転させて、一対の取付金具４、４の各々と、ベース部２に設けられている鍔体部２ｓとにより、天井Ｃを挟持させることで、ベース部２を、天井Ｃに設けられた火災感知器取り付け用孔ｈｃ内に、埋め込まれるように、取り付けしている。
【０２７９】
この結果、この火災感知器１では、天井Ｃに、火災感知器１を取り付ける際に、ネジ等の固着手段が落下することが一切ないため、天井Ｃに、簡単に、火災感知器１を取り付けることができる。
【０２８０】
のみならず、この火災感知器１では、一対の取付金具収容部２ａ、２ａの各々内には、一対のボルト手段ｖ、ｖの各々を回転させた際に、一対の取付金具収容部２ａ、２ａの各々内に収容されている、一対の取付金具４、４が、一対の取付金具収容部２ａ、２ａの各々から、ベース部２の外方に引き出され易くするために、一対の取付金具収容部の各々に、ベース部２の中心部から外方に向かってなだらかに下方に傾斜する傾斜面を設けているので、天井に設けられた火災感知器取り付け用孔内に、一対の取付金具の各々を、一対の取付金具収容部の各々内に収容させた状態で、ベース部２を挿入した後において、一対の取付金具４、４の各々を、一対の取付金具収容部２ａ、２ａの各々から、ベース部２の外方領域に簡単に引き出すことができる。
【０２８１】
即ち、この火災感知器１は、一対の取付金具収容部２ａ、２ａの各々に、ベース部２の中心部から外方に向かってなだらかに下方に傾斜する傾斜面を設けているので、天井に設けられた火災感知器取り付け用孔内に、一対の取付金具の各々を、一対の取付金具収容部２ａ、２ａの各々内に収容させた状態で、ベース部２を、天井Ｃに設けられた、火災感知器取り付け用孔ｈｃ内に挿入した後において、一対の取付金具４、４の各々を、一対の取付金具収容部２ａ、２ａの各々から、ベース部２の外方領域に引き出す作業を失敗することがないため、天井Ｃに設けられた、火災感知器取り付け用孔ｈｃ内に、ベース部２を埋め込むようにして、簡単に、取り付けることができる。
【０２８２】
次に、天井Ｃに設けられた、火災感知器取り付け用孔ｈｃ内に、埋め込まれるようにして取り付けられたベース部２に、図１１〜図１３に示した手順に従って、ヘッド部３を取り付ける。
（発明の実施の形態２）
図２１は、本発明に係る火災感知器のベース部を概略的に示す分解斜視図である。
【０２８３】
この火災感知器１Ａは、ベース部２Ａに設けられている、一対の取付金具６１、６１が、火災感知器１と、特に、異なっている以外は、火災感知器１と同様であるので、図２１では、ヘッド部についての図示は、省略する。
【０２８４】
また、説明を容易とするため、ここでは、一対の取付金具６１、６１の構成を中心にして説明する。
【０２８５】
この火災感知器１Ａでは、一対の取付金具６１、６１の各々として、略くの字形状に折り曲げらげられ取付金具を用いている。
【０２８６】
より詳しく説明すると、一対の取付金具６１、６１の各々は、一方片６１ａを他方片６１ｂに比べて、長い状態にして、略くの字形状に折り曲げらげられている。
【０２８７】
そして、その折曲部には、長孔ｈ６１が形成されている。
【０２８８】
この長孔ｈ６１は、折曲部に、一方片６１ａと他方片６１ｂとにまたがるように形成されている。
【０２８９】
また、ベース部２Ａの上面には、２個のボルト挿通孔ｈｋ、ｈｋが形成されている。
【０２９０】
２個のボルト挿通孔ｈｋ、ｈｋは、ベース部２Ａの上面の概ね中心線上に、ベース部２Ａの上面の中心を挟むようにして、且つ、所定の間隔を隔てるようにして、ベース部２Ａの上面に形成されている。
【０２９１】
ベース部２Ａの上面に形成された、２個のボルト挿通孔ｈｋ、ｈｋの各々内には、一対のボルト手段ｖ、ｖの各々が、ベース部２Ａの内側から外方向に挿入されている。
【０２９２】
２個のボルト挿通孔ｈｋ、ｈｋの各々内に挿入された、一対のボルト手段ｖ、ｖの各々は、一対の取付金具６１、６１の各々の長孔ｈ６１、ｈ６１に挿通されている。
【０２９３】
更に、一対のボルト手段ｖ、ｖの各々は、その先端部側に、ナット手段６２、６２の各々が螺合されている。
【０２９４】
一対の取付金具６１、６１の各々は、最初は、一対のボルト手段ｖ、ｖの各々及びナット手段６２、６２の各々によって、ベース部２の概ね上面領域内に、一対の取付金具６１、６１の一方片６１ａ、６１ａの各々が収容されるように、一対の取付金具６１、６１の一方片６１ａ、６１ａが、逆ハの字形状になるように取り付けられている。
【０２９５】
図２２は、火災感知器１Ａのベース部２Ａを、天井Ｃに設けられた火災感知器取付け用孔ｈｃに取り付ける手順を概略的に示す説明図である。
【０２９６】
天井Ｃに設けられた火災感知器取付け用孔ｈｃにベース部２Ａを取り付る際には、まず、蓋体（図１４（ａ）、図１４（ｂ）及び図１４（ｃ）に示す蓋体４２を参照）を開いた状態にし、ベース部２Ａに設けられている速結端子（図１４（ａ）、図１４（ｂ）及び図１４（ｃ）に示す速結端子４１を参照）に、商用電源線（図１４（ａ）、図１４（ｂ）及び図１４（ｃ）に示す商用電源線Ｌｃを参照）を接続する。
【０２９７】
次に、蓋体（図１４（ａ）、図１４（ｂ）及び図１４（ｃ）に示す蓋体４２を参照）を閉じた状態にする（図１４（ｃ）を参照）。
【０２９８】
次に、ベース部２の上面に、一対の取付金具６１、６１の一方片６１ａ、６１ａが、逆ハの字形状になるように取り付けられた状態で、火災感知器取付け用孔ｈｃ内に、ベース部２Ａを挿入する（図２２（ａ）を参照）。
【０２９９】
次に、一対のボルト手段ｖ、ｖの各々を、ナット手段６２、６２の各々が緩む方向に回転させる。
【０３００】
すると、一対の取付金具６１、６１の一方片６１ａ、６１ａの各々が、一方片６１ｂ、６１ｂの各々に比べて、重いため、一方片６１ａ、６１ａの各々の自重により、一方片６１ａ、６１ａが、互いに、離れる方向に移動する（図２２（ｂ）を参照）。
【０３０１】
更に、一対のボルト手段ｖ、ｖの各々を、ナット手段６２、６２の各々が緩む方向に回転させる。
【０３０２】
すると、一対の取付金具６１、６１の一方片６１ａ、６１ａの各々が、ハの字形状になるので、今度は、一対のボルト手段ｖ、ｖの各々を、ナット手段６２、６２の各々が締まる方向に回転させる。
【０３０３】
すると、一対の取付金具６１、６１の一方片６１ａ、６１ａの各々と、ベース部２Ａの鍔体部２ｓが、天井Ｃを挟持する。
【０３０４】
これにより、ベース部２は、天井Ｃに設けられた火災感知器取付け用孔ｈｃ内に、しっかりと、取り付けられる（図２２（ｃ）を参照）。
【０３０５】
この火災感知器１Ａでも、別個独立したネジ等の固着手段を用いるのではなく、ベース部２Ａに設けられている、一対のボルト手段ｖ、ｖを回転させて、一対の取付金具６１、６１の各々と、ベース部２Ａに設けられている鍔体部２ｓとにより、天井Ｃを挟持させることで、ベース部２Ａを、天井Ｃに設けられた火災感知器取り付け用孔ｈｃ内に、埋め込まれるように、取り付けている。
【０３０６】
この結果、この火災感知器１Ａでは、天井Ｃに、火災感知器１Ａを取り付ける際に、ネジ等の固着手段が落下することが一切ないため、天井Ｃに、簡単に、火災感知器を取り付けることができる。
【０３０７】
次に、天井Ｃに設けられた、火災感知器取り付け用孔ｈｃ内に、埋め込まれるようにして取り付けられたベース部２Ａに、図１１〜図１３に示した手順に従って、ヘッド部３を取り付ける。
【０３０８】
尚、天井Ｃに設けられた火災感知器取付け用孔ｈｃから、ベース部２を取り外す際には、一対のボルト手段ｖ、ｖの各々を、ナット手段６２、６２の各々が緩む方向に回転させた後、火災感知器取付け用孔ｈｃから、ベース部２を引き抜けばよい。
（発明の実施の形態３）
図２３は、本発明に係る火災感知器の他の例を概略的に説明する図であり、図２３（ａ）は、ベース部２Ｂに、ヘッド部３が取り付けられた状態を概略的に示す断面図であり、また、図２３（ｂ）は、ベース部２Ｂから、ヘッド部３が取り外された状態を概略的に示す断面図である。
【０３０９】
尚、ベース部２Ｂに、ヘッド部３を取り付ける、又は、ベース部２Ｂからヘッド部３を取り外しする構造・方法は、発明の実施の形態１に示した火災感知器１と同様であるので、ここでの説明は、省略する。
【０３１０】
この火災感知器１Ｂは、ベース部２Ｂの側面に、対向配置された、一対の板バネ金具７１、７１を備える。
【０３１１】
一対の板バネ金具７１、７１は、ベース部２Ｂに、逆ハの字形状になるように取り付けられている。
【０３１２】
ベース部２Ｂは、鍔体部２ｓを備える。
【０３１３】
この火災感知器１Ｂのベース部２Ｂを、天井Ｃに設けられた火災感知器取付け用孔ｈｃ内に取り付ける際には、図１４に示した手順によって、ベース部２Ｂの速結端子（図１４（ａ）、図１４（ｂ）及び図１４（ｃ）に示す速結端子４１を参照）に、商用電源線（図１４（ａ）、図１４（ｂ）及び図１４（ｃ）に示す商用電源線Ｌｃを参照）を接続し、その後、蓋体（図１４（ａ）、図１４（ｂ）及び図１４（ｃ）に示す蓋体４２を参照）を閉じた状態にする（図１４（ｃ）を参照）。
【０３１４】
次に、ベース部２Ｂを、天井Ｃに設けられた火災感知器取付け用孔ｈｃ内に挿入する。
【０３１５】
すると、ベース部２Ｂの側面に取り付けられている、一対の板バネ金具７１、７１が弾性変形し、一対の板バネ金具７１、７１の各々が、ベース部２Ｂの側面にひっついた状態になり、火災感知器取付け用孔ｈｃを通過する。
【０３１６】
一対の板バネ金具７１、７１は、火災感知器取付け用孔ｈｃを通過すると元の状態に戻るため、一対の板バネ金具７１、７１の各々の端部と、ベース部２Ｂの下側に外方に広がるように且つ火災感知器取付け用孔ｈｃより大きめの鍔体部２ｓとにより、天井Ｃが挟持される。これにより、火災感知器１Ｂは、そのベース部２Ｂが、火災感知器取付け用孔ｈｃに埋め込まれるように取り付けられる。
【０３１７】
次に、ベース部２Ｂの内部に設けられている端子受けｈ２、ｈ２、ｈ２、ｈ２に、ヘッド部３の内部に設けられている煙及び／又は熱検知手段（検知回路３３）から導出された接続用端子６、６、６、６を接続することにより、ベース部２Ｂに、ヘッド部３を取り付ける。
【０３１８】
尚、ここでは、ベース部２Ｂを天井Ｃに取り付けてから、ベース部２Ｂにヘッド部３を取り付けた場合について説明したが、火災感知器１Ｂの天井Ｃへの取り付は、先に、ベース部２Ｂにヘッド部３を取り付け、その後、ヘッド部３が取り付けられたベース部２Ｂを、火災感知器取付け用孔ｈｃに挿入するようにして、火災感知器１を天井Ｃへ取り付けるようにしてもよい。
【０３１９】
尚、２１で示す部材は、防虫網を示している。
【０３２０】
また、この例ではヘッド部３は、ベース部２Ｂにヘッド部３を取り付けた状態にした場合に、ベース部２Ｂの外方へ張り出すように設けられた鍔体部３ｓに、光ガイド部材９を備える。
【０３２１】
光ガイド部材９は、例えば、光ファイバーや、光透過性樹脂で製作されている。
【０３２２】
光ガイド部材９は、ヘッド部３の裏面側に鍔体部３ｓにかけて設けられている。
【０３２３】
そして、光ガイド部材９の一端部９ａは、ベース部２にヘッド部３を取り付けた際、即ち、煙及び／又は熱検知手段（検知回路３３）から導出された接続用端子６、６、６、６を、端子受けｈ２、ｈ２、ｈ２、ｈ２に接続した際に、通電表示灯１２の下方位置に位置するように、ヘッド部３に設けられている。且つ、光ガイド部材９の他端部９ｂは、ヘッド部３の外方へ張り出すように設けられた鍔体部３ｓの外周側近傍位置において、ヘッド部３の鍔体部３ｓを貫通し、ヘッド部３の正面側に露呈するように、ヘッド部３に設けられている。
【０３２４】
この火災感知器１では、ベース部２Ｂの下側に、火災感知器取付け用孔ｈｃよりも大きい鍔体部２ｓと、ベース部２の側面の対向する位置に、側面視した場合、ハ字形状に、下方に向かって開くように設けられた、一対の板バネ金具７１、７１とを設け、一対の板バネ金具７１、７１と、鍔体部２ｓとが、天井Ｃを挟持することで、火災感知器１Ｂを天井Ｃに取り付けるようにしている。従って、施工業者等は、天井Ｃに火災感知器１を取り付ける際には、火災感知器取付け用孔ｈｃ内に、ベース部２Ｂを押し込むという簡単な作業で、火災感知器１Ｂを天井Ｃに取り付けることができる。
【０３２５】
また、この火災感知器１Ｂでは、ベース部２の内部の所定の位置に設けられている、通電表示回路（図６又は図７に示す通電表示回路３２を参照）の通電表示灯１２が点灯した際の光を、光ガイド部材９により、その一端部９ａから他端部９ｂまで誘導し、且つ、その他端部９ｂを、ヘッド部３の鍔体部３ｓの外周側近傍位置において、ヘッド部３を貫通させて、ヘッド部３の正面側に露呈させているので、通電表示灯１２が点灯したか否かを、光ガイド部材９の他端部９ｂにおいて確認することができる。この光ガイド部材９の他端部９ｂは光ガイド部材９により、ベース部２の外方へ張り出すように設けられた、ヘッド部３の鍔体部３ｓの外周側近傍位置において、ヘッド部３の正面側に露呈しているので、光ガイド部材９の他端部９ｂは、ヘッド部３から離れた位置にあり、ヘッド部３が邪魔にならず、視認性に優れている。
【０３２６】
従って、この火災感知器１Ｂでは、通電表示灯１２が点灯したか否かを、ヘッド部３から離れた位置にある、光ガイド部材９の他端部９ｂを見ればよいので、通電表示灯１２が点灯したか否かの確認を、極めて、容易に行える。
【０３２７】
以上、火災感知器１、１Ａ又は１Ｂを取り付けた住戸では、火災が発生すると、火災感知器１、１Ａ又は１Ｂが、火災により発生した、熱又は煙を、検知回路３３が検知し、警報回路３５が警報音を出力し、住戸人等に、早期に、火災が発生したことを警告するので、早期に鎮火したり、また、住戸人等が、火災の際に逃げ遅れて焼死するといったゆゆしき事態を防ぐことができる。
【０３２８】
尚、発明の実施の形態３に示した火災感知器１Ｂの光ガイド部材９を設けるという構成は、火災感知器１、１Ａにおいても、適用できるものであることは、言うまでもない。
【０３２９】
【発明の効果】
以上、詳細に説明したように、請求項１に記載の火災感知器では、ベース部を、天井に設けた火災感知器取付け用孔内に、埋め込まれるように取り付けできるようにしているので、この火災感知器は、天井に火災感知器を取り付けた後の状態において、火災感知器の天井の下面からの出っ張りを少なくすることができる。
【０３３０】
この結果、この火災感知器は、天井に火災感知器を取り付けた後の状態において、天井の下面からの出っ張りが少なくなっている分、天井面がすっきりとし、室内の美観が損なわれない。
【０３３１】
この火災感知器では、ヘッド部内に設けられている煙及び／又は熱検知手段から導出されている接続用端子を、ベース部内に設けられている、端子受けに接続又は引き抜きすることで、煙及び／又は熱検知手段とベース部内の電気回路との電気的・物理的な接続又は分離を可能にし、ベース部に、ヘッド部を着脱できるようにしている。
【０３３２】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【０３３３】
即ち、この火災感知器は、ヘッド部の防虫網に付着した埃や塵等の除去をするといった、メンテナンス作業を、極めて、容易に行える。
【０３３４】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【０３３５】
略くの字形状に折り曲げられており、且つ、その折曲部には、長孔が設けられ、更に、この火災感知器では、電源回路から、警報回路への電源の供給を、ヘッド部を経由した回路を介して行っているため、ベース部に、ヘッド部が接続されていない場合には、動作確認回路に設けられている動作確認ボタンを押し操作しても、警報回路の鳴動部品から警報音が出力されない。
【０３３６】
請求項２に記載の火災感知器では、電源回路から、警報回路と通電表示回路との双方への電源の供給を、ヘッド部を経由した回路を介して行っている。このため、ベース部に、ヘッド部が接続されていない場合には、電源回路が通電状態にされても、動作確認回路に設けられている動作確認ボタンを押し操作しても、警報回路の鳴動部品から警報音が出力されないことのみならず、通電表示回路に含まれる通電表示灯が点灯することがない。
【０３３７】
従って、この火災感知器は、ベース部にヘッド部が取り付けられていない場合を、正確に、検出することができる。
【０３３８】
請求項３に記載の火災感知器では、ヘッド部がベース部に取り付けられていない場合、又は、ヘッド部内に設けられている煙及び／又は熱検知手段から導出された接続用端子が、ベース部内に設けられている端子受けに、正しく、接続されていない場合等において、電源回路に、商用電源が接続された場合に、通電表示灯が点滅するようにしている。
【０３３９】
従って、火災感知器の取り付け業は、通電表示灯の点滅の有無により、電源回路に、商用電源が接続されているか否かを知ることができると同時に、ヘッド部がベース部に取り付けられていないこと、又は、ヘッド部内に設けられている煙及び／又は熱検知手段から導出されている接続用端子が、ベース部内に設けられている端子受けに、正しく、接続されていないことを知ることができるため、感電等の事故を起こすことなく、火災感知器の天井への取り付け作業を、正しく完了することができる。
【０３４０】
即ち、この火災感知器は、天井への取り付け作業において、取り付け業者が、取り付け作業ミスをすることが無い、という利点を有する。
【０３４１】
請求項４に記載に火災感知器では、操作ボタン操作用紐を引っ張ることによって、鳴動停止スイッチを押し操作することができる。
【０３４２】
しかも、操作ボタン操作用紐を引っ張ることによって、鳴動停止スイッチを押し操作する機構を、ヘッド部側だけに設けているので、ヘッド部を、完全に、ベース部から切り離すことができる。
【０３４３】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【０３４４】
即ち、この火災感知器は、ヘッド部の防虫網に付着した埃や塵等の除去をするといった、メンテナンス作業を、極めて、容易に行える。
【０３４５】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【０３４６】
しかも、この火災感知器では、操作ボタン操作用紐が不用の場合には、操作ボタン操作用紐を切断したり、取り外しても、住戸人が、押し操作ボタンを上方に押し操作すれば、鳴動停止スイッチを押し操作できる構成になっているので、ユーザの都合で、警報の鳴動を止める際の方法を、操作ボタン操作用紐を引っ張る方法と、押し操作ボタンを上方に押し操作する方法の２通りのいずれかを選択することができる。
【０３４７】
請求項５に記載の火災感知器では、操作ボタン操作用紐を引っ張ることによって、鳴動停止スイッチを押し操作することができる。
【０３４８】
しかも、操作ボタン操作用紐を引っ張ることによって、鳴動停止スイッチを押し操作する機構を、ヘッド部側だけに設けているので、ヘッド部を、完全に、ベース部から切り離すことができる。
【０３４９】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【０３５０】
即ち、この火災感知器は、ヘッド部の防虫網に付着した埃や塵等の除去をするといった、メンテナンス作業を、極めて、容易に行える。
【０３５１】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【０３５２】
請求項６に記載の火災感知器では、鳴動停止スイッチを押し操作する機構を、ヘッド部側だけに設けているので、ヘッド部を、完全に、ベース部から切り離すことができる。
【０３５３】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。即ちこの火災感知器は、ヘッド部の防虫網に付着した埃や塵等の除去をするといった、メンテナンス作業を、極めて、容易に行える。
【０３５４】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【０３５５】
請求項７に記載の火災感知器では、ヘッド部をベース部に取り付けた段階で、ヘッド部の係止片が、テーパ突起を乗り越え、係止片受入部のテーパ突起と係止片受入部の終端との間の係止片受入部内に収容される構造にしているので、操作ボタン操作用紐を下方に引っ張ったり、あるいは、押し操作ボタンを上方に押し操作するだけでは、ヘッド部とベース部との嵌合を解除することができない。
【０３５６】
従って、この火災感知器は、操作ボタン操作用紐を下方に引っ張ったり、あるいは、押し操作ボタンを上方に押し操作しても、ベース部からヘッド部が脱落することがないため、安全性に優れている。
【０３５７】
のみならず、ベース部からヘッド部の取り外しは、ヘッド部を上方に押し上げながら、ベース部に対し、ヘッド部を回動するという簡単な操作によって行うことができるので、ヘッド部を、簡単に、ベース部から切り離すことができる。
【０３５８】
従って、この火災感知器では、ヘッド部の防虫網に付着した埃や塵等の除去をするといった、メンテナンス作業を行う際には、ヘッド部内に設けられている煙及び／又は熱検知手段から導出されている接続用端子を、ベース部内に設けられている、端子受けから引き抜き、ベース部からヘッド部を取り外してから、ヘッド部の防虫網に付着した埃や塵等の除去をすればよい。
【０３５９】
即ち、この火災感知器は、ヘッド部の防虫網に付着した埃や塵等の除去をするといった、メンテナンス作業を、極めて、容易に行える。
【０３６０】
また、メンテナンス作業が終了すれば、煙及び／又は熱検知手段から導出されている接続用端子をベース部内に設けられている端子受けに接続するだけで、ベース部へのヘッド部の取り付け作業が終了するので、メンテナンス作業を、極めて、容易に完了することができる。
【０３６１】
請求項８に記載の火災感知器では、ベース部の外側の所定の位置に速結端子を設けているので、天井裏に配線されている商用電源線を、速結端子に接続することで、火災感知器を動作させる電源を得ることができる。
【０３６２】
この場合、火災感知器のベース部を天井に設けられた火災感知器取付け用孔内に埋め込むように取り付けた後において、電源供給線が、天井の下方には現れない。
【０３６３】
この結果、この火災感知器は、天井に取り付けられた後の状態において、住戸人の目に電源供給線が触れることがないため、天井に取り付けられた後の美観が優れている。
【０３６４】
また、速結端子の下方位置には、開閉自在に、蓋体を設けているので、蓋体を開いた状態にして、商用電源線を、速結端子に、簡単に、接続することができる。
【０３６５】
また、速結端子を横方向に設け、速結端子の下方には、水を下方側に誘導する傾斜面を設けるとともに、蓋体には、水抜き孔を設け、且つ、蓋体を閉じた状態にすると、蓋体に設けられている水抜き孔が、ベース部の速結端子が設けられている位置の下方に設けられている傾斜面の概ね下端位置に来るようにしているので、仮に、屋根裏に、雨水が侵入したり、屋根裏に配線されている商用電源線に結露が生じたりして、そのような水が、商用電源線を伝ってきたとしても、そのような水は、速結端子内へ流れ込まず、速結端子の下方に設けられている傾斜面を伝って、蓋体に設けられている水抜き孔から排出されるため、速結端子内に、水が侵入して、速結端子部分において、ショートが発生するような事態が生じない。即ち、この火災感知器は、安全性に優れている。
【０３６６】
請求項９に記載に火災感知器では、ベース部の電気回路部品収容部に、電気回路部品収容部の上面を覆うようにベース部上蓋体を取り付けると、各々の段差部を形成している傾斜面の各々が、当接する。
【０３６７】
この結果、電気回路部品収容部とベース部上蓋体との間が、気密に塞がれるため、この火災感知器は、天井に設けられた火災感知器取付け用孔内に、ベース部を取り付けた後において、電気回路部品収容部とベース部上蓋体との間を通じて、室内の空気が、天井裏に逃げることがない。
【０３６８】
即ち、この火災感知器は、火災感知器取付け用孔内に対して、火災感知器を気密に取り付けさえすれば、室内の気密性を阻害することがない。
【０３６９】
請求項１０に記載の火災感知器では、ベース部の内部の所定の位置に設けられている、通電表示回路の通電表示灯が点灯した際の光を、光ガイド部材の一端部から他端部まで誘導し、且つ、その他端部を、ヘッド部の鍔体部の外周側近傍位置において、ヘッド部を貫通させて、ヘッド部の正面側に露呈しているので、通電表示灯が点灯したか否かを、光ガイド部材の他端部において確認することができる。この光ガイド部材の他端部は、ヘッド部に設けた光ガイド部材により、ベース部の外方へ張り出すように設けられた鍔体部の外周側近傍位置において、ヘッド部の正面側に露呈させているので、光ガイド部材の他端部は、ヘッド部から離れた位置にあり、ヘッド部が邪魔にならず、視認性に優れている。
【０３７０】
従って、この火災感知器では、通電表示灯が点灯したか否かを、ヘッド部から離れた位置にある、光ガイド部材の他端部を見ればよいので、通電表示灯が点灯したか否かの確認を、極めて、容易に行える。
【０３７１】
請求項１１に記載の火災感知器では、別個独立したネジ等の固着手段を用いるのではなく、ベース部に設けられている、一対のボルト手段を回転させて、一対の取付金具と、ベース部に設けられている鍔体部とにより、天井を挟持させることで、ベース部を、天井に設けられた火災感知器取り付け用孔内に、埋め込まれるように、取り付けしている
【０３７２】
この結果、この火災感知器では、天井に、火災感知器を取り付ける際に、ネジ等の固着手段が落下することが一切ないため、天井に、簡単に、火災感知器を取り付けることができる。
【０３７３】
のみならず、この火災感知器では、一対の取付金具収容部の各々内には、一対のボルト手段の各々を回転させた際に、一対の取付金具収容部の各々内に収容されている、一対の取付金具が、一対の取付金具収容部の各々から、ベース部の外方に引き出され易くするために、一対の取付金具収容部の各々に、ベース部の中心部から外方に向かってなだらかに下方に傾斜する傾斜面を設けているので、天井に設けられた火災感知器取り付け用孔内に、一対の取付金具の各々を、一対の取付金具収容部の各々内に収容させた状態で、ベース部を挿入した後において、一対の取付金具の各々を、一対の取付金具収容部の各々から、ベース部の外方領域に簡単に引き出すことができる。
【０３７４】
即ち、この火災感知器は、一対の取付金具収容部の各々に、ベース部の中心部から外方に向かってなだらかに下方に傾斜する傾斜面を設けているので、天井に設けられた火災感知器取り付け用孔内に、一対の取付金具の各々を、一対の取付金具収容部の各々内に収容させた状態で、ベース部を挿入した後において、一対の取付金具の各々を、一対の取付金具収容部の各々から、ベース部の外方領域に引き出す作業を失敗することがないため、天井に設けられた、火災感知器取り付け用孔内に、ベース部を、埋め込むようにして、簡単に、取り付けることができる。
【０３７５】
請求項１２に記載の火災感知器では、別個独立したネジ等の固着手段を用いるのではなく、ベース部に設けられている、一対のボルト手段を回転させて、一対の取付金具と、ベース部に設けられている鍔体部とにより、天井を挟持させることで、ベース部を、天井に設けられた火災感知器取り付け用孔内に、埋め込まれるように、取り付けしている。
【０３７６】
この結果、この火災感知器では、天井に、火災感知器を取り付ける際に、ネジ等の固着手段が落下することが一切ないため、天井に、簡単に、火災感知器を取り付けることができる。
【図面の簡単な説明】
【図１】本発明に係る火災感知器の一例を概略的に示す分解斜視図である。
【図２】図１に示す火災感知器を概略的に示す斜視図である。
【図３】図１に示す火災感知器を概略的に示す説明図であり、図３（ａ）は、ベース部２を下方から上方向に見た状態を概略的に示す平面図であり、また、図３（ｂ）は、ヘッド部３を上方から下方向に見た状態を概略的に示す平面図である。
【図４】ベース部を天井に設けられた火災感知器取付け用孔内に取り付けた状態を示しており、ベース部からヘッド部を取り外した状態を概略的に示す断面図である。
【図５】ベース部を天井に設けられた火災感知器取付け用孔内に取り付けた状態を示しており、ベース部からヘッド部を取り付けた状態を概略的に示す断面図である。
【図６】本発明に係る火災感知器の回路構成の一例を概略的に説明する回路図である。
【図７】本発明に係る火災感知器の回路構成の他の一例を概略的に説明する回路図である。
【図８】本発明に係る火災感知器の警報回路の鳴動停止スイッチを押し操作するための押し操作ボタンの機構の一例を概略的に示す図であり、図８（ａ）は、押し操作ボタンが、鳴動停止スイッチを押し操作していない状態を概略的に示す断面図であり、また、図８（ｂ）は、住戸人が、鳴動部品の鳴動を停止させるために、操作ボタン操作用紐を下方に引っ張り操作した状態を概略的に示す断面図である。
【図９】本発明に係る火災感知器の警報回路の鳴動停止スイッチを押し操作するための押し操作ボタンの機構の他の一例を概略的に示す図であり、図９（ａ）は、押し操作ボタンが、鳴動停止スイッチを押し操作していない状態を概略的に示す断面図であり、また、図９（ｂ）は、住戸人が、鳴動部品の鳴動を停止させるために、操作ボタン操作用紐を下方に引っ張り操作した状態を概略的に示す断面図であり、また、図９（ｃ）は、住戸人が、鳴動部品の鳴動を停止させた状態を概略的に示す断面図である。
【図１０】本発明に係る火災感知器の警報回路の鳴動停止スイッチを押し操作するための押し操作ボタンの機構の他の一例を概略的に示す図であり、図１０（ａ）は、押し操作ボタンが、鳴動停止スイッチを押し操作していない状態を概略的に示す断面図であり、また、図１０（ｂ）は、住戸人が、鳴動部品の鳴動を停止させるために、押し操作ボタンを上方に押し操作した状態を概略的に示す断面図である。
【図１１】ベース部に、ヘッド部を取り付ける手順を概略的に説明する説明図である。
【図１２】ベース部の鍔体部と、ヘッド部の鍔体部３ｓとを中心にして概略的に説明する説明図である。
【図１３】本発明に係る火災感知器を断面視して、ベース部に、ヘッド部を取り付ける手順を概略的に説明する説明図である。
【図１４】図１４（ａ）、図１４（ｂ）及び図１４（ｃ）に示す各図は、本発明に係る火災感知器の、電源回路に接続されている速結端子と、商用電源線との接続部の構造を概略的に説明する説明図である。
【図１５】ベース部の速結端子が設けられている位置の下方に設けられている傾斜面、及び、水抜き孔を有する蓋体の効果を模式的に説明する説明図である。
【図１６】ベース部の一部を拡大して概略的に示す断面図である。
【図１７】ベース部に、ヘッド部が取り付けられていない場合、又は、ヘッド部内に設けられている煙及び／又は熱検知手段からは接続用端子が、ベース部内に設けられている端子受けに、正しく、接続されていない場合に、通電表示灯を点滅させるための回路構成を例示的に示すブロック図である。
【図１８】ベース部に、ヘッド部が取り付けられていない場合、又は、ヘッド部内に設けられている煙及び／又は熱検知手段からは接続用端子が、ベース部内に設けられている端子受けに、正しく、接続されていない場合に、通電表示灯を点滅させるための回路構成を例示的に示す回路図である。
【図１９】本発明に係る火災感知器を、天井に設けられている火災感知器取付け用孔内に取り付ける手順を概略的に示す説明図である。
【図２０】取付金具の動作を概略的に示す説明図である。
【図２１】本発明に係る火災感知器のベース部を概略的に示す分解斜視図である。
【図２２】本発明に係る火災感知器のベース部を、天井に設けられた火災感知器取付け用孔に取り付ける手順を概略的に示す説明図である。
【図２３】本発明に係る火災感知器の他の例を概略的に説明する図であり、図２３（ａ）は、ベース部に、ヘッド部が取り付けられた状態を概略的に示す断面図であり、また、図２３（ｂ）は、ベース部２Ｂから、ヘッド部３が取り外された状態を概略的に示す断面図である。
【図２４】一般に用いられている、従来の火災感知器の一例を概略的に示す斜視図である。
【図２５】図２４に示す従来の火災感知器のカバー体部を開いた状態を、概略的に示す斜視図である。
【図２６】図２４に示す従来の火災感知器への、鳴動スイッチ操作用紐の取り付け状態を概略的に示す説明図であり、図２６（ａ）は、住戸人が、鳴動スイッチ操作用紐の引っ張り操作をしていない状態を概略的に示す断面図であり、また、図２６（ｂ）は、住戸人が、鳴動スイッチ操作用紐の引っ張り操作をした状態を概略的に示す断面図である。
【図２７】図２４に示す従来の火災感知器の回路構成を概略的に説明するブロック図である。
【符号の説明】
１、１Ａ、１Ｂ  火災感知器
２、２Ａ、２Ｂ  ベース部
２ｓ  ベース部の鍔体部
３  ヘッド部
３ｓ  ヘッド部の鍔体部
４  取付金具
６  接続用端子
ｈ２  端子受け
３１  電源回路
３２  通電表示回路
３３  検知回路
３４  動作確認回路
３５  警報回路
Ｃ  天井
ｈｃ  火災感知器取付け用孔
【図１】
0003608041.tif 000002
【図２】
0003608041.tif 000003
【図３】
0003608041.tif 000004
【図４】
0003608041.tif 000005
【図５】
0003608041.tif 000006
【図６】
0003608041.tif 000007
【図７】
0003608041.tif 000008
【図８】
0003608041.tif 000009
【図９】
0003608041.tif 000010
【図１０】
0003608041.tif 000011
【図１１】
0003608041.tif 000012
【図１２】
0003608041.tif 000013
【図１３】
0003608041.tif 000014
【図１４】
0003608041.tif 000015
【図１５】
0003608041.tif 000016
【図１６】
0003608041.tif 000017
【図１７】
0003608041.tif 000018
【図１８】
0003608041.tif 000019
【図１９】
0003608041.tif 000020
【図２０】
0003608041.tif 000021
【図２１】
0003608041.tif 000022
【図２２】
0003608041.tif 000023
【図２３】
0003608041.tif 000024
【図２４】
0003608041.tif 000025
【図２５】
0003608041.tif 000026
【図２６】
0003608041.tif 000027
【図２７】
0003608041.tif 000028